(57)【要約】  眼内に眼内レンズを埋め込むための装置が記載される。眼内レンズインジェクタ（１０）は、眼内レンズインジェクタの先端部分（６０）に形成された通路（６４）を含む。通路が内面（１００９）を画定し、および１つまたは複数のレール（１０１０、１０１２）が内面に形成されて、通路を通して、１つまたは複数のレールと対向して配置された内面の一部に向かって前進されている眼内レンズ（７０）の光学部（４６０）を変位させる。
2020503943.tif 000002
【特許請求の範囲】
【請求項１】
眼内レンズインジェクタであって、
インジェクタ本体であって、
内壁によって画定されたボアと、
前記インジェクタ本体に沿って中心に延在する長手方向軸と、
先端部分であって、
第１の側壁と、
前記第１の側壁と対向して配置された第２の側壁と、
前記第１の側壁と前記第２の側壁との間に延在する第３の側壁と、
前記第３の側壁と対向する第４の側壁であって、前記第１の側壁、第２の側壁、第３の側壁および第４の側壁は、前記ボアの一部を形成する通路を画定するように接合される、第４の側壁と、
前記第１の側壁に沿ってかつ前記長手方向軸から横方向にずれて前記通路の内面に形成された第１のレールと、
前記第１の側壁に沿って、かつ前記長手方向軸から前記第１のレールと反対の方向に横方向にずれて前記通路の前記内面に形成された第２のレールであって、前記第１のレールおよび前記第２のレールの各々は、眼内レンズの光学部の前縁と接触するように前記通路内の適所に配置され、前記第１のレールおよび前記第２のレールの各々は、
傾斜しかつ前記通路内に内向きに延在する第１の先行面と、
前記先行面の先端部から先端側に延在する第１の面と
を含む、第２のレールと
を含む先端部分と
を含むインジェクタ本体と、
前記ボア内で摺動可能なプランジャと
を含む眼内レンズインジェクタ。
【請求項２】
前記第１のレールの前記第１の先行面および前記第２のレールの前記第１の先行面は、平面である、請求項１に記載の眼内レンズインジェクタ。
【請求項３】
前記第１の面は、平面である、請求項１に記載の眼内レンズインジェクタ。
【請求項４】
前記第１の面は、前記第１の面が前記長手方向軸に向かって傾斜するように抜き勾配を画定する、請求項２に記載の眼内レンズインジェクタ。
【請求項５】
前記第１の面は、眼内レンズの光学部の横縁と係合し、かつ前記眼内レンズが前記通路に沿って前進される際、前記第１のレールおよび前記第２のレールと対向する前記通路の内面と接触するように前記眼内レンズの前記光学部を変位させるように構成される、請求項２に記載の眼内レンズインジェクタ。
【請求項６】
前記インジェクタ本体は、前記眼内レンズを受け入れるように構成された区画をさらに含み、前記区画は、前記通路と隣接しかつ前記通路と流体連通し、および境界部は、前記通路と前記区画との間に画定される、請求項１に記載の眼内レンズインジェクタ。
【請求項７】
前記先端部分は、前記第１のレールと前記第２のレールとの間に配置されたチャネルをさらに含む、請求項１に記載の眼内レンズインジェクタ。
【請求項８】
前記チャネルは、前記第１のレールの前記第１の面および前記第２のレールの前記第１の面からずれている第２の面を画定する、請求項７に記載の眼内レンズインジェクタ。
【請求項９】
前記第１のレールの前記第１の面が前記チャネルの前記第２の面からずれている量は、前記第２のレールの前記第１の面が前記チャネルの前記第２の面からずれている量と等しい、請求項８に記載の眼内レンズインジェクタ。
【請求項１０】
前記先端部分は、前記第１の側壁に隣接して第２の側壁に沿って前記通路の前記内面に形成された第１の傾斜部をさらに含む、請求項１に記載の眼内レンズインジェクタ。
【請求項１１】
前記第１の傾斜部は、前記眼内レンズが前記通路内で先端側に変位される際、前記眼内レンズの前方支持部と接触するように前記通路内の適所に配置される、請求項１０に記載の眼内レンズインジェクタ。
【請求項１２】
前記第１の傾斜部は、
傾斜しかつ前記内面から前記通路内に内向きに延在する第２の先行面と、
前記第２の先行面の先端部に配置された第１のピークと
を含む、請求項１０に記載の眼内レンズインジェクタ。
【請求項１３】
前記第２の先行面は、それに沿って第１の複数の段を含む、請求項１２に記載の眼内レンズインジェクタ。
【請求項１４】
前記先端部分は、前記第２の側壁に隣接してかつ前記第１の側壁と対向して第３の側壁に沿って前記通路の前記内面に形成された第２の傾斜部をさらに含む、請求項１０に記載の眼内レンズインジェクタ。
【請求項１５】
前記第１の傾斜部および前記第２の傾斜部は、一体的に形成される、請求項１４に記載の眼内レンズインジェクタ。
【発明の詳細な説明】
【技術分野】
【０００１】
関連出願の相互参照
本出願は、２０１７年１月１３日に出願された米国仮特許出願第６２／４４６，１９４号明細書の利益を主張し、２０１７年３月１０日に出願された米国仮特許出願第６２／４６９，６８２号明細書の利益を主張し、２０１７年９月２９日に出願された米国仮特許出願第６２／５６６，０１９号明細書の利益を主張し、各々の内容全体が参照により本明細書に援用される。
【０００２】
本開示は、眼内レンズインジェクタのためのシステム、装置および方法に関する。特に、本開示は、眼内レンズの光学部の折畳みを完了する前に眼内レンズの支持部の完全な折畳みを確実にする特徴を含む、眼内レンズインジェクタのためのシステム、装置および方法に関する。
【背景技術】
【０００３】
ヒトの眼は、その最も単純な観点から、角膜と呼ばれる透明な外側部分を通して光を透過および屈折させ、さらに眼球の後部で水晶体によって網膜上に像を集束させることにより、視力を提供するように機能する。集束される像の質は、眼球のサイズ、形状および長さ、ならびに角膜および水晶体の形状および透明度を含む多くの要素によって決まる。外傷、年齢または疾患により水晶体の透明度が低下すると、網膜まで透過され得る光が減少するために視力が低下する。この眼の水晶体の欠陥は、医学的に白内障として知られている。この状態に対する治療は、手術により水晶体を除去して人工眼内レンズ（「ＩＯＬ」）を埋め込むことである。
【０００４】
多くの白内障の水晶体は、水晶体超音波乳化吸引術と呼ばれる手術技法によって除去される。この処置中、水晶体前嚢に開口部を形成し、罹患した水晶体内に細い水晶体超音波乳化吸引術切断チップを挿入し、超音波で振動させる。振動する切断チップにより水晶体が液化または乳化し、それにより水晶体を眼の外に吸引することができる。罹患した水晶体は、除去されると、人工レンズと置き換えられる。
【０００５】
ＩＯＬは、罹患した水晶体を除去するために使用されたものと同じ小さい切開部を通して眼内に挿入される。眼内にＩＯＬを送達するためにＩＯＬインジェクタが使用される。
【発明の概要】
【課題を解決するための手段】
【０００６】
一態様によれば、本開示は、インジェクタ本体とプランジャとを含むことができる眼内レンズインジェクタについて記載する。インジェクタ本体は、内壁によって画定されたボアと、インジェクタ本体に沿って中心に延在する長手方向軸と、先端部分とを含むことができる。先端部分は、第１の側壁と、第１の側壁と対向して配置された第２の側壁と、第１の側壁と第２の側壁との間に延在する第３の側壁と、第３の側壁と対向する第４の側壁とを含むことができ、第１の側壁、第２の側壁、第３の側壁および第４の側壁は、ボアの一部を形成する通路を画定するように接合される。インジェクタ本体はまた、第１の側壁に沿ってかつ長手方向軸から横方向にずれて通路の内面に形成された第１のレールと、第１の側壁に沿って、かつ長手方向軸から第１のレールと反対の方向に横方向にずれて通路の内面に形成された第２のレールとを含むことができる。第１のレールおよび第２のレールの各々は、眼内レンズの光学部の前縁と接触するように通路内の適所に配置され得る。第１のレールおよび第２のレールの各々は、傾斜しかつ通路内に内向きに延在する第１の先行面と、先行面の先端部から先端側に延在する第１の面とを含むことができる。
【０００７】
本開示の態様は、以下の特徴の１つまたは複数を含むことができる。第１のレールの第１の先行面および第２のレールの第１の先行面は、平面であり得る。第１の面は、平面であり得る。第１の面は、第１の面が長手方向軸に向かって傾斜するように抜き勾配を画定することができる。第１の面は、眼内レンズの光学部の横縁と係合し、かつ眼内レンズが通路に沿って前進される際、第１のレールおよび第２のレールと対向する通路の内面と接触するように眼内レンズの光学部を変位させるように構成され得る。インジェクタ本体は、眼内レンズを受け入れるように構成された区画も含むことができる。区画は、通路と隣接しかつ通路と流体連通し得る。境界部は、通路と前記区画との間に画定され得る。先端部分は、第１のレールと第２のレールとの間に配置されたチャネルも含むことができる。チャネルは、第１のレールの第１の面および第２のレールの第１の面からずれている第２の面を画定することができる。第１のレールの第１の面がチャネルの第２の面からずれている量は、第２のレールの第１の面がチャネルの第２の面からずれている量と等しいことができる。先端部分は、第１の側壁に隣接して第２の側壁に沿って通路の内面に形成された第１の傾斜部も含むことができる。第１の傾斜部は、眼内レンズが通路内で先端側に変位される際、眼内レンズの前方支持部と接触するように通路内の適所に配置され得る。第１の傾斜部は、傾斜しかつ内面から通路内に内向きに延在する第２の先行面と、第２の先行面の先端部に配置された第１のピークとを含むことができる。第２の先行面は、それに沿って第１の複数の段を含むことができる。第１の複数の段は、蹴上および踏面を含むことができる。先端部分は、第２の側壁に隣接してかつ第１の側壁と対向して第３の側壁に沿って通路の内面に形成された第２の傾斜部も含むことができる。第１の傾斜部および第２の傾斜部は、一体的に形成され得る。
【０００８】
上述した概要および以下の詳細な説明は、本質的に例示的かつ説明的なものであり、本開示の範囲を限定することなく本開示が理解されるように意図されていることが理解されるべきである。それに関して、本開示の追加の態様、特徴および利点は、以下の詳細な説明から当業者に明らかになるであろう。
【図面の簡単な説明】
【０００９】
【図１】眼内レンズインジェクタ例の斜視図である。
【図２】図１の眼内レンズインジェクタの縦断面図を示す。
【図３】図１の眼内レンズインジェクタのインジェクタ本体例の先端部分の斜視図である。
【図４】図３に示すインジェクタ本体の先端部分の断面図である。
【図５】眼内レンズインジェクタのノズルの断面形状例である。
【図６】インジェクタ本体に形成された眼内レンズ受入区画の断面図を示す。
【図７】インジェクタ本体に形成された眼内レンズ受入区画の斜視図を示す。
【図８】プランジャの断面図である。
【図９】プランジャの底面図である。
【図１０】眼内レンズインジェクタ例のタブおよびプランジャロックを示す部分斜視図である。
【図１１】プランジャのプランジャチップ例の詳細図である。
【図１２】眼内レンズインジェクタのレンズ受入区画を密閉するドアの内面例を示す。
【図１３】ＩＯＬインジェクタを通して前進されているＩＯＬの停止位置を指定する境界を示す、ＩＯＬインジェクタの先端部分の詳細図である。
【図１４】停止位置においてＩＯＬが内部に配置されるＩＯＬインジェクタの先端部分の図である。
【図１５】ＩＯＬが受け入れられる区画と、インジェクタ本体の内部ボアとの間の境界面における開口部を示すＩＯＬインジェクタ例の詳細図であり、この詳細図は、ＩＯＬインジェクタの長手方向軸に対して横切り、インジェクタロッドと接触している可撓性壁部分を示す。
【図１６】ＩＯＬインジェクタ例の部分断面図である。
【図１７】ＩＯＬ例を示す。
【図１８】プランジャチップ例の斜視図である。
【図１９】図１８のプランジャチップ例の側面図である。
【図２０】図１８のプランジャチップ例の上面図である。
【図２１】ＩＯＬインジェクタ例の先端部分の側面図である。
【図２２】図２１の線Ａ−Ａに沿った断面図である。
【図２３】図２１のＩＯＬインジェクタの先端部分の平面図である。
【図２４】図２３の線Ｂ−Ｂに沿った断面図である。
【図２５】ＩＯＬインジェクタの先端部分の内部通路に形成された傾斜部の詳細図である。
【図２６】図２３の線Ｃ−Ｃに沿った断面図である。
【図２７】ＩＯＬインジェクタの先端部分の内部通路に形成された傾斜部の詳細図である。
【図２８】ＩＯＬの前進中にＩＯＬの前方支持部を持ち上げるように動作可能なＩＯＬインジェクタの内部通路内に配置された持上げ機構例を示す。
【図２９】ＩＯＬの前進中にＩＯＬの前方支持部を持ち上げるように動作可能なＩＯＬインジェクタの内部通路内に配置された別の持上げ機構例を示す。
【図３０−３３】ＩＯＬがＩＯＬインジェクタの内部通路を通して前進される際の、ＩＯＬインジェクタの先端部分の内面の傾斜部形態によるＩＯＬの前方支持部の持上げを示す。
【図３４】別のＩＯＬインジェクタ例の先端部分の平面図である。
【図３５】線ＤＤに沿った図３４のＩＯＬインジェクタ例の先端部分の断面図である。
【図３６】線ＥＥに沿った図３４のＩＯＬインジェクタ例の先端部分の断面図である。
【図３７】図３６の断面図の一部の詳細図である。
【発明を実施するための形態】
【００１０】
本開示の原理の理解を促進する目的で、ここで、図面に例示する実施形態を参照し、それについて説明するために具体的な文言を用いる。しかしながら、本開示の範囲の限定が意図されていないことが理解されるであろう。記載する装置、機器、方法および本開示の原理の任意のさらなる応用に対する任意の改変形態およびさらなる変更形態は、本開示が関連する技術分野における当業者に通常想到されるように十分に企図される。特に、一実施形態に関して記載する特徴、構成要素および／またはステップを、本開示の他の実施形態に関して記載する特徴、構成要素および／またはステップと組み合わせ得ることが十分に企図される。
【００１１】
本開示は、眼内にＩＯＬを送達するシステム、装置および方法に関する。特に、本開示は、眼内レンズ折畳み中に前方支持部持上げを改善する特徴を有する眼内レンズインジェクタのためのシステム、装置および方法に関する。図１および図２は、インジェクタ本体２０およびプランジャ３０を含む例としてのＩＯＬインジェクタ１０を示す。インジェクタ本体２０は、インジェクタ本体２０の基端部５０からインジェクタ本体２０の先端部分６０まで延在するボア４０を画定する。プランジャ３０は、ボア４０内で摺動可能である。特に、プランジャ３０は、インジェクタ本体２０内でＩＯＬ７０等のＩＯＬを前進させるためにボア４０内で摺動可能である。ＩＯＬインジェクタ１０は、本体２０を通して中心に配置された長手方向軸７５も含む。長手方向軸７５は、プランジャ３０に沿って延在し、プランジャ３０の長手方向軸を画定することができる。
【００１２】
インジェクタ本体２０は、眼内に挿入する前のＩＯＬを収容するように動作可能な区画８０を含む。場合により、区画８０へのアクセスを可能にするようにドア９０を含めることができる。ドア９０は、ヒンジ１００を含むことができ、それによりヒンジ１００を中心にドア９０を枢動させて区画８０を開放することができる。インジェクタ本体２０は、インジェクタ本体２０の基端部５０に形成されたタブ１１０も含むことができる。タブ１１０は、ボア４０を通してプランジャ３０を前進させるように、眼科医または他の医療専門家等、使用者の指で操作することができる。
【００１３】
図３〜図５は、インジェクタ本体２０の先端部分６０の詳細を示す。場合により、先端部分６０は、テーパ状外面を有する。さらに、先端部分６０は、先端開口部１２５に向かってテーパ状である通路６４を含む。インジェクタ本体２０は、先端部分６０にノズル１２０も含む。ノズル１２０は、ＩＯＬを埋め込むことができるように眼内に挿入されるように適合される。ＩＯＬは、ノズル１２０に形成された先端開口部１２５から放出される。図５に示すように、ノズル１２０は、楕円形断面を有することができる。さらに、ノズル１２０は、傾斜チップ１３０を含むことができる。区画８０、通路６４および開口部１２５は、送達通路１２７を画定することができる。送達通路１２７のサイズは、その長さに沿って変化することができる。すなわち、場合により、通路の高さＨ１は、送達通路１２７の長さに沿って変化することができる。送達通路１２７のサイズの変動は、それに沿って前進されるＩＯＬの折畳みに寄与することができる。
【００１４】
場合により、インジェクタ本体２０は、挿入深さガード１４０を含むことができる。挿入深さガード１４０は、眼球の外面に当接するように適合されるフランジ面１５０を形成することができる。挿入深さガード１４０は、眼球の表面に当接し、それにより、ノズル１２０が眼内に延在することが許容される量を制限する。いくつかの実施形態では、フランジ面１５０は、眼球の外面に沿う曲率を有することができる。たとえば、フランジ面１５０は、眼球の強膜面に沿う曲率を有することができる。他の場合、フランジ面１５０は、眼球の角膜面に対応する曲率を有することができる。さらに他の場合、フランジ面１５０は、一部が強膜面に対応し、別の部分が角膜面に対応する曲率を有することができる。したがって、フランジ面１５０は、凹状であり得る。他の場合、フランジ面１５０は、平坦であり得る。さらに他の場合、フランジ面１５０は、凸状であり得る。さらに、フランジ面１５０は、任意の所望の輪郭を有することができる。たとえば、フランジ面１５０は、フランジ面１５０の中心から異なる半径方向に沿って変化する曲率半径を有する湾曲面であり得る。さらに他の場合、フランジ面１５０は、異なる半径方向に沿って変化する曲率とともに、１つまたは複数の特定の半径方向に沿って変化する曲率を有する面を画定することができる。
【００１５】
図３において、挿入深さガード１４０は、連続したフランジ面１５０を形成する連続した特徴として示されている。いくつかの実施形態では、挿入深さガード１４０は、複数の眼球接触面を形成する複数の特徴または突起に区分することができる。これらの眼球接触面は、ともに作用して、ノズル１２０が眼球を貫通することができる深さを制御することができる。他の実施形態では、挿入深さガード１４０を省略することができる。
【００１６】
図６は、図２に示す例としてのインジェクタ本体２０の区画８０およびボア４０の一部の断面詳細図を示す。ボア４０は、内壁２９８によって画定される。内壁２９８は、第１のテーパ状壁３０１および第２のテーパ状壁３０３を含むテーパ状部分を含む。内壁２９８のテーパ状部分は、ボア４０と区画８０との間の境界面１７２において開口部１７０を画定する。開口部１７０は、高さＨ２を含む。図８に示すようにかつより詳細に後述するように、プランジャは、プランジャロッド１２０を含む。プランジャロッド２１０の先端部分２１１は、Ｈ３の高さを有する。場合により、高さＨ２は、高さＨ３より大きい可能性があり、それにより最初に開口部１７０においてプランジャロッド２１０と内壁２９８との間に締まり嵌めがない。他の場合、高さＨ２は、高さＨ３以上である可能性があり、それにより、プランジャロッド２１０および開口部１７０は、最初に締まり嵌めを有する。いくつかの実施形態では、第１のテーパ状壁３０１は、可撓性壁部分を含む。図示する例では、可撓性壁部分１６２は、内壁２９８、特に第１のテーパ状壁３０１の斜めに延在する可撓性部分である。図７に示すように、場合により、第１のテーパ状壁３０１の一部が取り除かれて、可撓性壁部分１６２の側面に位置する空隙１６３を形成する。したがって、場合により、可撓性壁部分１６２は、片持ち式に延在することができる。
【００１７】
再び図６を参照すると、場合により、可撓性壁部分１６２は、インジェクタ本体２０の先端部分６０に向かって傾斜することができる。場合により、可撓性壁部分１６２および長手方向軸７５によって画定される角度Ｂは、２０°〜６０°の範囲であり得る。たとえば、場合により、角度Ｂは、２０°、２５°、３０°、３５°、４０°、４５°、５０°、５５°または６０°であり得る。さらに、角度Ｂは、定義した範囲より大きいかもしくは小さく、または概して列挙した範囲内であり得る。さらに、本開示の範囲は、そのように限定されない。したがって、角度Ｂは、任意の所望の角度であり得る。
【００１８】
インジェクタ本体２０は、区画８０の内部受入面１９０に沿って形成された曲線状傾斜部１８０も含むことができる。概して、内部受入面１９０は、ＩＯＬ７０等のＩＯＬがＩＯＬインジェクタ１０内に装填されるときに配置される面である。図７は、図２に示す例としてのインジェクタ本体２０の一部の斜視図である。ドア９０は、図示されていない。場合により、可撓性壁部分１６２のチップと曲線状傾斜部１８０の頂部との間の垂直距離Ｃは、プランジャロッド２１０の先端部分２１１の高さＨ３に一致することができる。他の場合、距離Ｃは、プランジャロッド２１０の先端部分２１１の高さＨ３より大きい場合もあれば小さい場合もある。可撓性壁部分１６２および曲線状傾斜部１８０については、より詳細に後述する。いくつかの実装形態では、可撓性壁部分１６２を省略することができる。たとえば、いくつかの実装形態では、プランジャ３０および関連するプランジャロッド２１０は、プランジャチップ、たとえばより詳細に後述するプランジャチップ２２０がプランジャ３０の前進中に曲線状傾斜部１８０と接触したままであるように構成されるため、可撓性壁部分は、不要である場合がある。
【００１９】
図７にまた図示するように、インジェクタ本体２０は、受入面１９０からずれている曲線状面１９２を含むことができる。曲線状面１９２に隣接して壁１９４が形成される。ＩＯＬ７０が区画８０内に受け入れられるとき、図１７に示す支持部４５０の自由延在端部４５２が曲線状面１９２と接触する。
【００２０】
図１ならびに図８および図９を参照すると、プランジャ３０は、本体部分２００と、本体部分２００から先端側に延在するプランジャロッド２１０と、プランジャロッド２１０の先端部２３０に形成されたプランジャチップ２２０とを含むことができる。プランジャ３０は、本体部分２００の基端部２５０に形成されたフランジ２４０も含むことができる。プランジャ３０に付勢要素２６０を配置することができる。場合により、付勢要素２６０は、ばねであり得る。いくつかの実施形態では、付勢要素２６０は、フランジ２４０に隣接して配置することができる。フランジ２４０に隣接する本体部分に基端部２６２を固定して取り付けることができる。他の場合、付勢要素２６０は、本体部分２００に沿った別の位置に配置することができる。さらに他の実施形態では、付勢要素２６０は、インジェクタ本体２０に形成するかまたは他の方法で配置することができ、プランジャ３０がボア４０を通して前進される間、プランジャ３０を選択された位置で係合させるように適合させることができる。さらに、他の実装形態では、付勢要素２６０を省略することができる。
【００２１】
タブ１１０とともにフランジ２４０を用いて、インジェクタハウジング２０を通してプランジャ３０を前進させることができる。たとえば、使用者は、自らの親指でフランジ２４０に反対の圧力を加えながら、２つの指でタブ１１０に圧力を加えることができる。使用者による確実な把持を可能にするために、フランジ２４０の表面を凹凸にすることができる。場合により、凹凸は、複数の溝の形態であり得る。しかしながら、任意の所望の凹凸を利用することができる。
【００２２】
本体部分２００は、複数の横方向に配置されたリブ２７０を含むことができる。場合により、リブ２７０は、図１に示す本体部分２００の第１の面２８０および第２の面２９０の両方に形成することができる。他の場合、第１の面２８０および第２の面２９０の一方のみにリブ２７０を形成することができる。第１の面２８０および第２の面２９０の一方または両方に、長手方向に延在するリブ３００も形成することができる。
【００２３】
場合により、図９に示すように、本体部分２００は、１つまたは複数の突起２０２も含むことができる。突起２０２は、本体部分２００の長さに沿って長手方向に延在することができる。図１に示すように、突起２０２は、インジェクタ本体２０に形成された溝２０４によって受け入れられ得る。突起２０２および溝２０４は、相互作用して、インジェクタ本体２０のボア４０内でプランジャ３０を位置合わせする。
【００２４】
本体部分２２０は、片持ち部材２９２も含むことができる。片持ち部材２９２は、本体部分２００の先端部２９４から基端部２５０に向かって延在することができる。片持ち部材２９２は、フレア状部分２９６を含むことができる。片持ち部材２９２は、実質的水平部分２９７も含むことができる。フレア状部分２９６は、図２に示すように、ボア４０を画定するインジェクタ本体２０の内壁２９８と係合するように構成される。片持ち部材２９２と内壁２９８との間の係合により、プランジャ３０の前進に抵抗する力が発生し、プランジャ３０の前進中に使用者に対して触覚フィードバックが提供される。たとえば、いくつかの実施形態では、片持ち部材２９２と内壁２９８との間の接触によって発生する抵抗力は、プランジャ３０の前進に抵抗する基礎抵抗を提供することができる。
【００２５】
場合により、プランジャロッド２１０は、角度付き部分２１２を含むことができる。先端部分２１１は、角度付き部分２１２の一部を形成することができる。角度付き部分２１２は、長手方向軸７５と１°〜５°の範囲内で角度Ａを画定することができる。場合により、角度Ａは、２°であり得る。場合により、角度Ａは、２．５°であり得る。さらに他の場合、角度Ａは、３°、３．５°、４°、４．５°または５°であり得る。さらに、Ａの上記値は、例として提供するが、角度Ａは、示した範囲より大きいかもしくは小さく、または間の任意の値であり得る。したがって、角度Ａは、任意の所望の角度であり得る。
【００２６】
角度付き部分２１２は、プランジャ３０がボア４０を通して前進される際、プランジャチップ２２０が受入面１９０と接触しかつそれをたどることを確実にする。特に、角度付き部分２１２によって画定される角度Ａは、プランジャチップ２２０をボア４０の内壁２９８に接触させるために必要である角度を超える。すなわち、プランジャ３０がボア４０内に配置されると、プランジャチップ２２０と内壁２９８との間の係合により、角度付き部分２１２が角度Ａによって内向きに曲がる。したがって、角度付き部分２１２は、プランジャチップ２２０が、ＩＯＬインジェクタ１０から挿入されるＩＯＬの支持部および光学部と適切に係合することを確実にする。これについては、より詳細に後述する。角度付き部分２１２は、プランジャロッド２１０の残りの部分に対して角度をなして曲げられた実質的直線状部分として示されているが、範囲は、そのように限定されない。場合により、プランジャロッド２１０の一部は、連続した湾曲部を有することができる。他の場合、プランジャロッド２１０の全長が曲げられるかまたは湾曲部を有することができる。さらに、長手方向軸７５からの角度のずれの量または湾曲の量は、プランジャチップ２２０とインジェクタ本体２０の内面との間の所望の係合の量を提供するために選択することができる。
【００２７】
フランジ２４０に隣接する本体部分２００に付勢要素２６０を取り付けることができる。場合により、付勢要素２６０は、本体部分２００に沿って先端側に延在するフープ３１０を形成することができ、フープ３１０は、インジェクタ本体２０と係合すると、プランジャ３０の前進に抵抗するようにばねとして機能する。付勢要素２６０は、本体部分２００がそれを通して延在するチャネル３２０を画定するカラー２６１も含むことができる。したがって、動作時、プランジャ３０がインジェクタ本体２０のボア４０を通して（すなわち図２に示す矢印３３０の方向に）前進される際、付勢要素２６０の先端部２６５は、プランジャ３０のストロークに沿った選択された位置においてインジェクタ本体２０の基端部５０と接触する。インジェクタ３０がさらに前進されると、付勢要素２６０は、圧縮され、チャネル３２０により、付勢要素２６０の先端部２６５が本体部分２００に対して移動することができる。同様に、チャネル３２０により、プランジャ３０の基端側の（すなわち同様に図２に示す矢印３４０の方向における）移動中、本体部分２００と付勢要素２６０の先端部２６５との間の相対移動が可能になる。
【００２８】
図２、図９および図１０を参照すると、ＩＯＬインジェクタ１０は、プランジャロック３５０も含むことができる。プランジャロック３５０は、タブ１１０の１つに形成された溝３６０に取外し可能に配置される。プランジャロック３５０は、その一端に形成された突起３７０を含む。プランジャロック３５０は、図２に示すように、単一の突起３７０を含むことができる。他の場合、プランジャロック３５０は、複数の突起３７０を含むことができる。たとえば、図１０は、２つの突起３７０を有する例としてのプランジャロック３５０を示す。他の場合、プランジャロック３５０は、追加の突起３７０を含むことができる。
【００２９】
設置されると、突起３７０は、インジェクタ本体２０に形成されたアパーチャ３７５を通して延在し、プランジャ３０に形成されたスロット３８０内に受け入れられる。プランジャロック３５０が設置されると、突起３７０およびスロット３８０は、連結して、プランジャ３０がボア４０内で移動しないようにする。すなわち、設置されたプランジャロック３５０は、プランジャ３０がボア４０内を前進されないようにまたはボア４０から取り外されないようにする。プランジャロック３５０が取り除かれると、プランジャ３０は、ボア４０を通して自由に前進され得る。場合により、プランジャロック３５０は、複数の隆起したリブ３９０を含むことができる。リブ３９０は、溝３６０からの取外しおよび溝３６０への挿入に役立つように触覚抵抗を提供する。
【００３０】
プランジャロック３５０は、Ｕ字型であり、チャネル３８２を画定することができる。チャネル３８２は、タブ１１０の一部を受け入れる。さらに、タブ１１０の上に取り付けられると、プランジャロック３５０の基端部分３８４を外向きに曲げることができる。したがって、タブ１１０の上にプランジャロック３５０を摩擦によって保持することができる。
【００３１】
図２および図８を参照すると、いくつかの実施形態では、本体部分２０は、ボア４０に形成された肩部３９２を含むことができる。ボア４０の、ボア４０が拡大基端部分３９４およびより狭い先端部分３９６から幅が狭くなる位置に肩部３９２を形成することができる。場合により、肩部３９２は、湾曲面であり得る。他の場合、肩部３９２は、ボア４０のサイズの段状変化として画定することができる。
【００３２】
片持ち部材２９２は、肩部３９２と係合することができる。いくつかの実装形態では、片持ち部材２９２のフレア状部分２９６は、肩部３９２に係合することができる。場合により、片持ち部材２９２が肩部３９２と係合する位置は、スロット３８０がアパーチャ３７５と整列する位置であり得る。したがって、いくつかの実装形態では、片持ち部材２９２と肩部３９２との間の係合により、インジェクタ本体２０に対してプランジャ３０を適所に係止するように、プランジャロック３５０を挿入するための好都合な配置を提供することができる。他の実施形態では、スロット３８０およびアパーチャ３７５は、片持ち部材２９２が肩部３９２と係合するときに整列しない場合がある。
【００３３】
プランジャ３０がボア４０を通して前進される際、片持ち部材２９２のフレア状部分２９６を内向きに変位させて、ボア４０の狭くなった先端部分３９６と適合させることができる。フレア状部分２９６のこのたわみの結果として、片持ち部材２９２は、ボア４０の内壁２９８に対して増大する垂直抗力を加える。この垂直抗力の増大により、ボア４０を通るプランジャ３０の前進に抵抗する摩擦力が発生し、それにより使用者に対して触覚フィードバックが提供される。
【００３４】
図１および図２を参照すると、ＩＯＬインジェクタは、ＩＯＬ止め具４００も含むことができる。ＩＯＬ止め具４００は、ドア９０の外面４２０に形成された凹部４１０に受け入れられる。ＩＯＬ止め具４００は、ドアに形成された開口部４４０を通して延在する突起４３０を含むことができる。突起４３０は、区画８０内に装填されたＩＯＬの支持部と光学部との間に延在する。図１および図１７に示すように、ＩＯＬ７０は、支持部４５０および光学部４６０を含む。突起４３０は、支持部４５０の１つと光学部４６０との間に配置される。ＩＯＬ止め具４３０は、タブ４３５も含むことができる。使用者は、インジェクタ本体２０からＩＯＬ止め具４３０を取り除くためにタブ４３５を把持することができる。
【００３５】
ＩＯＬ止め具４００は、アパーチャ４７０も含むことができる。アパーチャ４７０は、ドア９０に形成された別の開口部、たとえば図１３に示す開口部４７２と整列する。アパーチャ４７０とドア９０の第２の開口部４７２とは、通路を形成し、その通路を通して粘弾性材料等の材料を区画８０内に導入することができる。
【００３６】
ＩＯＬ止め具４００は、ドア９０から取外し可能である。設置されると、ＩＯＬ止め具４００は、ＩＯＬ７０等のＩＯＬの前進を阻止する。特に、ＩＯＬ７０の前進が試みられる場合、光学部４６０は、突起４３０と接触し、それによりＩＯＬ７０の前進が阻止される。
【００３７】
図１１は、例としてのプランジャチップ２２０を示す。プランジャチップ２２０は、反対側の側部から延在する第１の突起４８０および第２の突起４９０を含むことができる。第１の突起４８０および第２の突起４９０は、第１の溝５００を画定する。第１の溝５００は、表面５０２を画定する。第１の溝５００内に第２の溝５１０が形成される。第１の溝５００は、特に第１の突起４８０と組み合わせて、ＩＯＬの後方支持部を捕捉し折り畳む役割を果たす。第２の溝５１０は、ＩＯＬの光学部を捕捉して折り畳むように機能する。
【００３８】
プランジャチップ２２０の側壁５２０をテーパ状にすることができる。テーパ状側壁５２０は、ＩＯＬの後方支持部のガセット部分のための入れ子空間を提供することができる。支持部のガセット部分は、ＩＯＬ光学部に対して基端側であり続ける傾向がある。したがって、テーパ状側壁５２０は、眼内への送達中にＩＯＬの適切な折畳みを促進する入れ子空間を提供することができる。
【００３９】
図１８〜図２０は、別の例としてのプランジャチップ２２０を示す。このプランジャチップ２２０は、第１の突起６００、第２の突起６０２および溝６０４を含む。第１の突起は、長手方向軸６０６から斜角θで延在する。場合により、角度θは、２５°〜６０°であり得る。他の場合、角度θは、２５°未満または６０°を超えることができる。他の場合、角度θは、０°〜６０°であり得る。さらに他の実装形態では、角度θは、０°〜７０°、０°〜８０°または０°〜９０°であり得る。概して、角度θは、任意の所望の角度であるように選択することができる。たとえば、角度θは、以下の１つまたは複数に基づいて選択することができる。すなわち、（１）先端部分６０内に形成された通路６４の高さ等のサイズ、（２）区画８０の高さ、（３）通路６４および／または区画の高さがそれらのそれぞれの長さに沿ってどのように変化するか、（３）プランジャチップ２２０の厚さ。第２の突起６０２は、テーパ状部分６０８を含むことができる。テーパ状部分６０８は、図１７に示す光学部４６０等、ＩＯＬの光学部と係合するように動作可能である。光学部は、溝６０４内に移動することができるようにテーパ状面に沿って摺動することができる。その結果、第２の突起６０２は、光学部の表面に隣接して位置決めされる。
【００４０】
図１８〜図２０に示す例としてのプランジャチップ２２０は、表面５０２と同様であり得る表面６１０も含む。表面６１０は、図１７に示す支持部４５０等、後方の、すなわち基端側に延在する支持部と接触し、それが折り畳まれるように変位させるように適合される。場合により、表面６１０は、平坦面であり得る。他の場合、表面６１０は、湾曲したまたは他の方法で曲線状の表面であり得る。例としてのプランジャチップ２２０は、側壁６１２および支持面６１３も含むことができる。側壁５２０と同様に、側壁６１２は、図２０に示すようにテーパ状であり得る。場合により、側壁６１２は、第１の湾曲部分６１４を含むことができる。第１の湾曲部分６１４は、折畳み中、光学部に対して基端側であり続ける後方支持部の曲げ部分を受け入れることができる。後方支持部は、折畳みプロセス中に支持面６１３によって支持される。側壁６１２は、第２の湾曲面６１５も含むことができる。
【００４１】
斜めに延在する第１の突起６００は、たとえば、図１１に示すプランジャチップ２２０と比較して高さＨ４を有効に増大させる。この高さＨ４の増大により、プランジャ３０の前進中に後方支持部を捕捉するプランジャチップ２２０の能力が向上する。動作時、プランジャ３０が先端側に前進される際、先端部６１８は、送達通路１２７の高さＨ１の変化のために送達通路１２７の内壁と係合する。高さＨ１が低減すると、第１の突起６００は、ヒンジ６２０を中心に枢動し、プランジャチップ２２０の全高さＨ４を有効に低減させる。第１の突起６００は、ヒンジ６２０を中心に枢動し、第２の突起６０２に向かう方向に回転する際、ＩＯＬの光学部と第１の突起６００との間で後方支持部を捕捉する。したがって、第１の突起６００がヒンジ６２０を中心に枢動可能であることにより、プランジャチップ２２０のサイズは、ＩＯＬが先端側に前進されて折り畳まれる際、送達通路１２７の変化する高さＨ１に適合しかつ一致することができる。
【００４２】
図１２は、ドア９０の内面５３０を示す。内面５１０は、隆起５３０を含むことができる。隆起５３０は、湾曲部分５４０を含むことができる。図示する例では、湾曲部分５４０は、長手方向軸７５に向かって基端側にかつ内向きに延在する。湾曲部分５４０は、ＩＯＬの後方支持部の一部の上に重なるように構成され、それにより、プランジャ３０がインジェクタ本体２０を通して前進されるとき、ＩＯＬの適切な折畳みが促進される。
【００４３】
動作時、プランジャロック３５０を溝３６０内に挿入して、インジェクタ本体２０に対してプランジャ３０を適所に係止することができる。区画８０内にＩＯＬ７０等のＩＯＬを装填することができる。たとえば、使用者によってドア９０を開放することができ、区画８０内に所望のＩＯＬを挿入することができる。区画８０内にＩＯＬを挿入すると、ドア９０を閉鎖することができる。場合により、製造中にＩＯＬを事前に装填することができる。
【００４４】
ドア９０に形成された凹部４１０にＩＯＬ止め具４００を挿入することができる。位置合わせされた、アパーチャ４７０とドア９０に形成された対応する開口部とを介して、区画８０内に弾粘性材料を導入することができる。弾粘性材料は、眼内へのＩＯＬの前進および送達中にＩＯＬの前進および折畳みを促進する潤滑剤として機能する。場合により、製造時に区画８０内に弾粘性材料を導入することができる。
【００４５】
ドア９０に形成された凹部４１０からＩＯＬ止め具４００を取り除くことができ、溝３６０からプランジャロック３５０を取り除くことができる。ボア４０を通してプランジャ３０を前進させることができる。片持ち部材２９２とインジェクタ本体２０の内壁２９８との間の摺動係合により、プランジャ３０の前進に抵抗する抵抗力が発生する。場合により、プランジャチップ２２０が区画８０内に延在するまで、ボア４０を通してプランジャ３０を前進させることができる。たとえば、プランジャチップ２２０がＩＯＬに隣接するかまたはそれと接触するまでプランジャ３０を前進させることができる。他の場合、ＩＯＬが部分的にまたは完全に折り畳まれるように、ボア４０を通してプランジャ３０を前進させることができる。さらに、プランジャ３０は、先端開口部１２５から放出される直前のノズル内の位置までＩＯＬを前進させることができる。たとえば、場合により、ノズル１２０を眼球に形成された創傷部内に挿入する前に、付勢要素２６０の先端部２６５がインジェクタ本体２０の基端部５０と接触する箇所でプランジャ３０の前進を停止させることができる。
【００４６】
図２１は、ＩＯＬインジェクタ１０の先端部分６０を示す。図２２は、線Ａ−Ａに沿ったＩＯＬインジェクタ１０の先端部分６０の断面図である。図２２には、長手方向軸７５を示し、それは、図２２において先端部分６０を対称的に分割するように通路６４に沿って中心に延在する。図２１および図２２を参照すると、先端部分６０は、第１の側壁７００と、第１の側壁７００と対向する第２の側壁７０２と、第１の側壁７００と第２の側壁７０２との間に配置された第３の側壁７０４と、第３の側壁７０４と対向しかつ同様に第１の側壁７００と第２の側壁７０２との間に配置された第４の側壁７０６とを含む。側壁７００、７０２、７０４および７０６は、通路６４を画定する。
【００４７】
ＩＯＬ７０等のＩＯＬの改善された折畳みを提供するために第１の側壁７００の内面７１０に傾斜部７０８が形成される。図２２、図２３および図２８を参照すると、傾斜部７０８は、ピーク７０９と、ピーク７０９の基端側に配置された先行面７１２と、ピーク７０９の先端側に配置された後続面７１３とを含む。ピーク７０９は、傾斜部７０８の幅に沿って延在し、後続面７１３から先行面７１２を分離する。ピーク７０９は、図２４に示しかつより詳細に後述する平面Ｃから最大離隔した傾斜部７０８の部分を表す。容易に明らかであるように、傾斜部７０８の先行面７１２は、ＩＯＬが通路６４を通して前進される際、傾斜部７０８が省略された場合に面７１０によって提供される速度よりはるかに高速でＩＯＬの前方支持部（たとえば、図１７に示すＩＯＬ７０の前方支持部４５０）の持上げ距離、すなわち矢印７０９の方向における変位量を増大させる。傾斜部７０８は、ＩＯＬインジェクタ１０内のＩＯＬの折畳み中に前方支持部の不適切な折畳みを軽減するかまたはなくすように動作する。たとえば、傾斜部７０８は、ＩＯＬ７０の折畳み中、前方支持部が光学部４６０の前縁７２８に対して先端側にありかつ前縁７２８と接触したままである（図２４を参照されたい）不適切な折畳みを回避することができる。したがって、傾斜部７０８は、ＩＯＬインジェクタ１０から埋め込むために眼内に放出される前にＩＯＬ７０が折り畳まれる際、支持部４５０が光学部４６０の上で折り畳まれ得るように、光学部４６０の上方で前方支持部４５０を持ち上げるように動作可能である。
【００４８】
図２２に示すように、傾斜部７０８は、ＩＯＬインジェクタ１０に沿って中心線を形成する長手方向軸７５から第３の側壁７０４に向かって横方向にずれている。傾斜部７０８の位置は、光学部４６０から先端側に延在するＩＯＬ７０の支持部４５０の自由延在端部４５２等、ＩＯＬの前方支持部の自由延在端部が、ＩＯＬがプランジャ３０により送達通路１２７に沿って前進される際に傾斜部７０８にぶつかるような位置である。
【００４９】
図２３は、第２の側壁７０２を示すＩＯＬインジェクタ１０の先端部分６０の平面図である。図２４は、図２２に示す線Ｂ−Ｂに沿った先端部分６０の断面図である。線Ｂ−Ｂは、図２４に示す、ピーク７０９に沿った点と平面Ｃとの間の最大距離を有する傾斜部７０８の部分を通過する平面を表す。Ｈ５は、傾斜部７０８と平面Ｃとの間の最大寸法を表す。傾斜部７０８は、前方支持部の自由延在端部と接触しかつそれと係合するように通路６４内に位置決めされる。図示する例では、傾斜部７０８は、区画８０と通路６４との間の境界部６５の先端側に配置される。傾斜部７０８は、点７０５によって示す基端部で開始する。場合により、点７０５とピーク７０９（場合により、より詳細に後述する点７０７と一致する可能性がある）との間の長手方向距離Ｇは、０．５ｍｍ〜１．５ｍｍの範囲内であり得る。したがって、いくつかの実装形態では、距離Ｇは、０．５ｍｍ、０．６ｍｍ、０．７ｍｍ、０．８ｍｍ、０．９ｍｍ、１．０ｍｍ、１．１ｍｍ、１．２ｍｍ、１．３ｍｍ、１．４ｍｍまたは１．５ｍｍであり得る。しかしながら、距離Ｇは、示した範囲内の任意の値または示した範囲より大きいかもしくは小さい値であるように選択することができる。線７１０は、傾斜部７０８から離れる方向に通路６４を画定するが傾斜部７０８の一部を形成しない第１の側壁７００の内面に対応する。図２４に示す断面に沿った傾斜部７０８の長さＬは、８ｍｍ〜１０ｍｍの範囲内であり得る。他の実装形態では、傾斜部７０８の長さＬは、１０ｍｍより大きいかまたは８ｍｍより小さい場合もある。
【００５０】
図３０〜図３３を参照すると、ＩＯＬ７０がＩＯＬインジェクタ１０内で前進される際に光学部４６０の上方で前方支持部４５０を持ち上げる傾斜部７０８の動作を示す。動作時、プランジャロッド２１０が送達通路１２７に沿ってＩＯＬ７０を前進される際、前方支持部４５０の自由延在端部４５２は、傾斜部７０８の先行面７１２に接触しそれに沿って進む。ＩＯＬ７０が前進され続けると、前方支持部４５０は、先行面７１２に沿って進むに従って持ち上げられる。前方支持部４５０の持上げは、前方支持部４５０がＩＯＬの光学部４６０の上方に十分な高さを得るまで続く。たとえば、傾斜部７０８の先行面７１２に沿って進む結果として前方支持部４５０によって得られる高さは、前方支持部が、光学部４６０の前縁７１４の前方でまたはその先端側で捕捉されるのを回避することを確実にするように選択することができる。さらに、長手方向に先端部分６０に沿った傾斜部７０８の先行面７１２の位置および先行面７１２の勾配は、光学部４６０が折畳みを開始する際、光学部４６０の（図１４に示す）横縁４５３の巻上りの前にまたはそれと同時に前方支持部４５０が光学部４６０の上方の所望の高さに達するように選択することができる。このように構成された傾斜部７０８は、前方支持部４５０の自由延在端部４５２が光学部の前縁７１４に対して基端側でかつその折り畳まれた横方向側部４５３間でしまい込まれることを確実にする。図１９に、光学部に対する前方支持部のこの折畳み配置の図を示す。
【００５１】
図２４に示す例では、先行面７１２は、平滑面である。すなわち、いくつかの実装形態では、先行面７１２は、不連続性または曲率の急な変化がない可能性がある。しかしながら、本開示の範囲は、そのように限定されない。いくつかの実装形態では、傾斜部７０８の先行面７１２は、段状面を有することができる。図２５は、先行面７１２が複数の段７１６を含む傾斜部７０８の例としての先行面７１２の詳細な断面図を示す。場合により、先行面７１２は、完全に段７１６から形成することができる。他の場合、先行面７２０は、その長さの一部のみに沿って複数の段を有することができる。他の実装形態では、１つまたは複数の段７１６のサイズは、先行面７１２の１つまたは複数の他の段７１６のサイズと異なり得る。
【００５２】
いくつかの実装形態では、段７１６の各々は、蹴上７１８および踏面７２０を含む。踏面７２０は、ＩＯＬインジェクタ１０の長手方向軸７５に対して平行な方向に延在し、蹴上７１８は、ＩＯＬインジェクタ１０の長手方向軸７５に対して垂直な方向に延在する。いくつかの実装形態では、段７１６の１つまたは複数の蹴上７１８は、０．２ｍｍ〜０．５ｍｍの範囲の長さを有することができる。特に、蹴上７１８の長さは、０．２ｍｍ、０．３ｍｍ、０．４ｍｍまたは０．５ｍｍであり得る。しかしながら、これらの寸法は、単に例である。他の実装形態では、蹴上７１８の長さは、示した範囲より大きいかまたは小さい場合もある。すなわち、場合により、蹴上７１８は、０．５ｍｍより大きいかまたは０．２ｍｍより小さい場合もある。
【００５３】
段７１６の１つまたは複数の踏面７２０は、０．２ｍｍ〜０．５ｍｍの範囲の長さを有することができる。特に、踏面７２０の長さは、０．２ｍｍ、０．３ｍｍ、０．４ｍｍまたは０．５ｍｍであり得る。しかしながら、これらの寸法は、単に例である。他の実装形態では、踏面７２０の長さは、示した範囲より大きいかまたは小さい場合もある。すなわち、場合により、踏面７２０は、０．５ｍｍより大きいかまたは０．２ｍｍより小さい場合もある。
【００５４】
図２５は、サイズが均一である複数の段７１６を有する例としての先行面７１２を示す。したがって、いくつかの実装形態では、先行面７１２は、均一なサイズの複数の段７１６を有することにより、線形勾配を画定する。しかしながら、本開示の勾配は、そのように限定されない。むしろ、他の場合、段７１６の１つまたは複数の蹴上７１８、踏面７２０の１つもしくは複数または蹴上７１８および踏面７２０の両方は、１つまたは複数の他の段７１６と異なり得る。場合により、段の踏面７１８は、先行面７１２に沿って先端方向に低減することができる。他の実装形態では、段の踏面７１８は、先行面７１２に沿って先端方向に増大することができる。場合により、段の蹴上７１８は、先行面７１２に沿って先端方向に増大することができる。他の実装形態では、段の蹴上７１８は、先行面７１２に沿って先端方向に低減することができる。段７１６の１つまたは複数の蹴上７１８および踏面７２０が変化する場合、先行面７１２は、全体的に湾曲した面またはより一般的には非線形面を画定することができる。いくつかの実装形態では、段状先行面７１２は、先行面７１２に対して全体的に放物線の形状を形成するように配置することができる。先行面７１２の全体的に放物線の形状は、前方支持部４５０が前端方向に進む距離が変化するに従い、前方支持部４５０に与えられる持上げの量を変化させることができる。特に、前方支持部４５０に与えられる持上げの量は、先端部分６０の通路６４の長手方向軸に沿った先端方向における前方支持部４５０の移動の量に従って増大することができる。しかしながら、先行面７１２によって画定される全体的な形状は、任意の所望の形状であり得る。たとえば、先行面７１２は、傾斜した波状面、傾斜した平坦面または他の任意の所望の面を有することができる。
【００５５】
傾斜部７０８の全体的な勾配は、点７０５、すなわち傾斜部７０８の基端部から点７０７まで延在する線７０３によって画定され、点７０７では、線７０５は、傾斜部７０８のピーク７０９と接線方向に接触する。勾配線７０３は、平面Ｃから角度Ｔだけ角度をなしている。場合により、角度Ｔは、１７°〜２７°であり得る。特に、場合により、角度Ｔは、１７°、１８°、１９°、２０°、２１°、２２°、２３°、２４°、２５°、２６°または２７°であり得る。しかしながら、角度Ｔは、示した範囲内の任意の値または示した範囲より大きいかもしくは小さい値であるように選択することができる。
【００５６】
図２２、図２４および図２５を参照すると、傾斜部７０８の後続面７１３は、第１の側壁７００の内面７１０内に徐々に入り込む。図２４に示す例では、後続面７１３は、先端側に延在するに従い、正の勾配を有する。いくつかの例では、後続面７１３の正の勾配は、ＩＯＬインジェクタ１０の製造可能性に対して、特に先端部分６０に対して提供される。たとえば、射出成形の場合、後続面７１３の正の勾配により、先端部分６０の製造を容易にする抜き勾配を提供する。しかしながら、後続面７１３が正の勾配を有することは必須ではない。他の実装形態では、後続面７１３は、中間的な勾配、すなわちゼロの勾配または負の勾配を有することができる。さらに他の実装形態では、傾斜部７０８の後続面７１３を省略することができる。
【００５７】
いくつかの実装形態では、第３の側壁７０４も、図２２に示すように、その内面に形成された傾斜部７２２を含むことができる。場合により、傾斜部７２２は、傾斜部７０８と融合することができる。たとえば、場合により、傾斜部７２２は、第１の側壁７００の内面から第３の側壁７０４の内面上に連続する傾斜部７０８の延長であり得る。いくつかの実装形態では、傾斜部７２２を省略することができる。
【００５８】
傾斜部７２２は、先行面７２３と、後続面７２５と、先行面７２３と後続面７２５との間に配置されたピーク７２７とを含む。ピーク７０９と同様に、ピーク７２７は、傾斜部７２２の幅に沿って延在し、後続面７２５から先行面７２３を分離する。図２６は、図２３に示す線Ｃ−Ｃに沿った先端部分６０の断面図である。線Ｃ−Ｃは、傾斜部７０８のピーク７０９および傾斜部７２２のピーク７２７を通過する平面を表す。ピーク７０９および７２７は、図２１〜図２６に示す例としての先端部分６０において位置合わせされるが、本開示の範囲は、そのように限定されない。むしろ、ピーク７０９および７２７は、ずれている場合がある。場合により、ピーク７０９は、ピーク７２７の基端側に配置することができる。他の場合、ピーク７０９は、ピーク７２７の先端側に配置することができる。
【００５９】
図２６に示すように、傾斜部７２２のピーク７２３は、垂直軸７２９に対して角度をなして配置され、傾斜部７０８のピーク７０９は、水平軸７３１に対して平行である。しかしながら、他の実装形態では、ピーク７０９は、水平軸７３１に対して角度をなすことができる。場合により、ピーク７２３は、垂直軸７２９に対して平行であり得る。図２２を参照すると、傾斜部７２２を省略する先端部分６０の通路６４の内面に対応する面７２４が示されている。したがって、傾斜部７２２がないものと対照的に、傾斜部７２２がある場合、前方支持部４５０等、前方支持部に与えられる形態の差が明らかである。図２６に示すように、面７１０は、面７２４と一緒になって、傾斜部７０８および７２２が省略された場合に通路６４に存在する連続面の表現を形成する。
【００６０】
前方支持部４５０の自由延在端部４５２は、ＩＯＬ７０が通路６４内で前進する際に傾斜部７２２と係合し、前方支持部４５０が傾斜部７０８によって持ち上げられている際に前方支持部４５０の先端側移動を制限するように動作する。ＩＯＬ７０が前進し続けると、前方支持部４５０は、傾斜部７２２の先行面７２３と係合する。その結果、前方支持部４５０の先端側移動は、一時的に低減するかまたは停止し、それにより、前方支持部４５０は、光学部４６０の面７２６の上で折り畳まれる。ＩＯＬ７０の前進が続くと、ＩＯＬ７０の前進の結果として先端方向において前方支持部４５０に加えられる力は、傾斜部７２２によって前方支持部４５０に加えられる抵抗力を超える点に達する。その結果、前方支持部４５０は、たわみ、光学部４６０の上に折り畳まれ面７２６に隣接した状態で傾斜部７２２を通過される。前方支持部４５０が傾斜部７２２を通過して動かされ、光学部４６０の面７２６の上で折り畳まれる点は、光学部４６０の横方向側部４５３の折畳みの直前に発生する。光学部４６０の折り畳まれた横方向側部４５３は、それらの間に前方支持部４５０を捕捉し、前方光学部４５０を折り畳まれた構成で維持する。
【００６１】
上で説明したように、傾斜部７０８および傾斜部７２２は、一緒になって通路６４内に存在する単一の形態学的特徴になることができる。他の実装形態では、傾斜部７０８および傾斜部７２２は、通路６４内に形成された別個の特徴であり得る。さらに、傾斜部７２２の先行面７２３は、平滑面、すなわち不連続性または曲率の急な変化がないものであり得る。しかしながら、傾斜部７０８の先行面７１２と同様に、傾斜部７２２の先行面７２３は、段状面を有することができる。図２７は、図２２に示す傾斜部７２２の詳細図を示す。傾斜部７２２は、複数の段７３０を有する段状先行面７２３を含む。場合により、先行面７２３は、完全に段７３０から形成することができる。他の場合、先行面７２３は、その長さの一部のみに沿って複数の段を有することができる。他の実装形態では、１つまたは複数の段７３０のサイズは、先行面７２３の１つまたは複数の他の段７３０のサイズと異なり得る。
【００６２】
傾斜部７０８および傾斜部７２２が接合される場合、傾斜部７０８の先行面７１２および傾斜部７２２の先行面７２３の一方は、１つまたは複数の段を含むことができ、傾斜部７０８の先行面７１２および傾斜部７２２の先行面７２３の他方は、段を省略することができる。場合により、先行面７１２および先行面７２３の両方が１つまたは複数の段を含むことができる。さらに他の実装形態では、先行面７１２および先行面７２３の両方が段を省略することができる。
【００６３】
傾斜部７０８の先行面７１２および傾斜部７２２の先行面７２３が複数の段を含む場合、先行面７１２および７２３の各々の段の蹴上および踏面は、同じであり得るか、または先行面７１２、７２３の各々の蹴上および踏面は、互いに異なり得る。さらに、先行面７１２および７２３の各々の勾配は、同じである場合もあれば互いに異なる場合もある。場合により、先行面７１２および７２３の各々の段の蹴上および踏面は、先行面７１２と先行面７２３との間でかつ先行面７１２および７２３の各々においてともに異なり得る。
【００６４】
段７３０の各々は、蹴上７３２および踏面７３４を含む。踏面７３４は、ＩＯＬインジェクタ１０の長手方向軸７５に対して平行な方向に延在し、蹴上７３２は、ＩＯＬインジェクタ１０の長手方向軸７５に対して垂直な方向に延在する。いくつかの実装形態では、段７３０の１つまたは複数の蹴上７３２は、０．２ｍｍ〜０．５ｍｍの範囲の長さを有することができる。特に、蹴上７３２の長さは、０．２ｍｍ、０．３ｍｍ、０．４ｍｍまたは０．５ｍｍであり得る。しかしながら、これらの寸法は、単に例である。他の実装形態では、蹴上７３２の長さは、示した範囲より大きいかまたは小さい場合もある。すなわち、場合により、蹴上７３２は、０．５ｍｍより大きい場合かまたは０．２ｍｍより小さい場合もある。段７１６の１つまたは複数の蹴上７１８および踏面７２０が変化する場合、先行面７１２は、全体的に湾曲した面またはより一般的には非線形面を画定することができる。
【００６５】
段７３０の１つまたは複数の踏面７３４は、０．２ｍｍ〜０．５ｍｍの範囲の長さを有することができる。特に、踏面７３４の長さは、０．２ｍｍ、０．３ｍｍ、０．４ｍｍまたは０．５ｍｍであり得る。しかしながら、これらの寸法は、単に例である。他の実装形態では、踏面７３４の長さは、示した範囲より大きいかまたは小さい場合もある。すなわち、場合により、踏面７３４は、０．５ｍｍより大きいかままたは０．２ｍｍより小さい場合もある。
【００６６】
図２７は、サイズが均一である複数の段７３０を有する例としての先行面７２３を示す。したがって、いくつかの実装形態では、先行面７２３は、均一なサイズの複数の段７３０を有することにより、線形勾配を画定する。しかしながら、本開示の勾配は、そのように限定されない。むしろ、他の場合、段７３０の１つまたは複数の蹴上７３２、踏面７３４の１つもしくは複数または蹴上７３２および踏面７３４の両方は、１つまたは複数の他の段７３０と異なり得る。場合により、段の踏面７３４は、先行面７２３に沿って先端方向に低減することができる。他の実装形態では、段の踏面７３４は、先行面７２３に沿って先端方向に増大することができる。場合により、段の蹴上７３２は、先行面７１２に沿って先端方向に増大することができる。他の実装形態では、段７３０の蹴上７３２は、先行面７２３に沿って先端方向に低減することができる。段７３０の１つまたは複数の蹴上７３２および踏面７３４が変化する場合、先行面７２３は、全体的に湾曲した面またはより一般的には非線形面を画定することができる。いくつかの実装形態では、段状先行面７２３は、先行面７２３に対して全体的に放物線の形状を形成するように配置することができる。しかしながら、先行面７２３の形状は、任意の所望の形状であり得る。たとえば、先行面７２３は、傾斜した波状面、傾斜した平坦面または他の任意の所望の面を有することができる。
【００６７】
図２７は、ＩＯＬインジェクタ１０の長手方向軸７５に対して平行に延在する平面Ｄも示す。平面Ｄは、傾斜部７３０の基端部を画定する第１の点７３１を通過する。傾斜部７３０の全体的な勾配は、点７１から点７３５まで延在する線７３３によって画定され、点７３５では、線７３３は、傾斜部７３０のピーク７２７と接線方向に接触する。勾配線７３３は、平面Ｄから角度Ｕだけ角度をなしている。場合により、角度Ｕは、６３°〜７３°であり得る。特に、場合により、角度Ｕは、６３°、６４°、６５°、６６°、６７°、６８°、６９°、７０°、７１°、７２°または７３°であり得る。しかしながら、角度Ｕは、示した範囲内の任意の値または示した範囲より大きいかもしくは小さい値であるように選択することができる。
【００６８】
図２７に示す図示する例では、傾斜部７２２は、区画８０と通路６４との間の境界部６５の先端側に配置される。傾斜部７０８は、点７３１で示す基端部において開始する。場合により、点７３１とピーク７０９（場合により、点７３５と一致する可能性がある）との間の長手方向距離Ｈは、０．４ｍｍ〜１．４ｍｍの範囲内であり得る。したがって、いくつかの実装形態では、距離Ｈは、０．４ｍｍ、０．５ｍｍ、０．６ｍｍ、０．７ｍｍ、０．８ｍｍ、０．９ｍｍ、１．０ｍｍ、１．１ｍｍ、１．２ｍｍ、１．３ｍｍまたは１．４ｍｍであり得る。しかしながら、距離Ｈは、示した範囲内の任意の値または示した範囲より大きいかもしくは小さい値であるように選択することができる。
【００６９】
図２２、図２６および図２７を参照すると、傾斜部７２２の後続面７２５は、第３の側壁７０４の内面７２４内に徐々に入り込む。図２４に示す例では、後続面７２５は、先端側に延在するに従い、正の勾配を有する。上述した後続面７１３と同様に、いくつかの例では、後続面７２５の正の勾配は、ＩＯＬインジェクタ１０の製造可能性に対して、特に先端部分６０に対して提供される。たとえば、射出成形の場合、後続面７２５の正の勾配により、先端部分６０の製造を容易にする抜き勾配を提供する。しかしながら、後続面７２５が正の勾配を有することは必須ではない。他の実装形態では、後続面７２５は、中間的な勾配、すなわちゼロの勾配または負の勾配を有することができる。さらに他の実装形態では、傾斜部７２２の後続面７２５を省略することができる。
【００７０】
図２６に示すように、通路６４の高さＦは、２．４ｍｍ〜２．６ｍｍの範囲内であり得る。しかしながら、こうした寸法は、単に例示的なものであり、通路の高さＦは、２．６ｍｍより大きいかまたは２．４ｍｍより小さい場合もある。さらに、傾斜部７２２が通路６４の内面（すなわち面７２４の連続である通路６４の内面）と融合する傾斜部７２２の高さＥは、１．５ｍｍ〜１．８ｍｍの範囲内であり得る。しかしながら、いくつかの実装形態では、高さＥは、１．８ｍｍより大きいかまたは１．５ｍｍ未満である場合もある。ピーク７０９における傾斜部７０８の高さＤは、０．５ｍｍ〜１．０ｍｍの範囲内であり得る。明らかであるように、提供した寸法例は、（図２７に示す）線Ｃ−Ｃに沿った断面における示された特徴に対するものである。したがって、いくつかの実装形態では、傾斜部７２２の高さＥは、通路６４の高さＥの５７％〜７５％の範囲内であり得る。また、いくつかの実装形態では、傾斜部７０８の高さＦは、通路６４の高さＥの１９％〜４２％の範囲内であり得る。この場合にも、示した範囲は、単に例示的なものであり、通路６４の高さＦに対する傾斜部７０８および７２２それぞれの高さＤおよびＥは、任意の所望の量であるように選択することができる。
【００７１】
図２８は、光学部４６０の表面７２６にわたってＩＯＬ７０の前方支持部４５０を持ち上げるように動作可能である、送達通路１２７内に配置された別の例としての持上げ機構８００を示す。いくつかの実装形態では、持上げ機構８００は、先端部分６０の通路６４内に配置することができる。たとえば、持上げ機構８００は、（図２９に関連して）上面に取り付けることができる。すなわち、場合により、持上げ機構８００は、（図１２に示す）ドア９０の内面５３０に隣接しかつ（図６に示す）受入面１９０と対向する通路６４の表面に取り付けることができる。図示する例では、持上げ機構８００は、通路６４の内面８０２に固定される。持上げ機構８００は、ベース８０４と、枢動部分８０６と、枢動部分８０６をベース８０４に接続するヒンジ８０８とを含む。図２８に示す位置Ｉ〜Ｖは、ＩＯＬ７０が光学部４６０に対して通路６４を通して前進される際の前方支持部４５０の折畳みを示す。
【００７２】
位置Ｉでは、持上げ機構８００の枢動部分８０６は、前方支持部４５０が枢動部分８０６と係合し始めたばかりの状態で、最初の妨げられていない構成で示されている。位置ＩＩでは、前方支持部４５０は、枢動部分８０６に形成された傾斜面８１２により、矢印８１０の方向に持ち上げられて示されている。さらに、持上げ機構８００により、光学部４６０に向かう前方支持部４５０の変位ももたらされる。ＩＯＬ７０の前進に関連して、光学部４６０に向かう前方支持部４５０の移動は、持上げ機構８００が光学部４６０に対する前方支持部４５０の前進を遅らせるかまたは減速させ、それにより光学部４６０に向かう前方支持部４５０の相対移動がもたらされることを意味する。
【００７３】
前方支持部４５０との係合の結果として、枢動部分８０６は、矢印８１４の方向において先端側にわずかにそらされて示されている。位置ＩＩＩでは、前方支持部４５０は、先端側により大きい程度まで変位した枢動部分８０６とともに、持上げ機構８００により最大量まで持ち上げられて示されている。位置ＩＩＩは、（図２８に示す図に関連して）前方支持部４５０の下方に位置決めされた光学部４６０の前縁８１６も示す。位置ＩＶでは、前方支持部４５０は、表面７２６の上で折り畳まれて示され、枢動部分８０６は、さらに先端側に折り畳まれる。位置Ｖでは、前方支持部４５０は、光学部４６０の表面７２６の上に完全に折り畳まれて示されている。枢動部分８０６は、前方支持部４５０の基端側に示されている。したがって、ＩＯＬ７０が前進されると、枢動部分８０６は、先行支持部４５０が先端側に折畳み機構８００を通過することを可能にするようにヒンジ８０８を中心に枢動する点に達する。したがって、折畳み機構８００は、前方支持部４５０を持ち上げて折り畳むように動作可能である一方、曲がって、前方支持部４５０が先端側に折畳み機構を通過して移動することを可能にするようにも動作可能である。ＩＯＬ７０の折畳みが続くと、枢動部分８０６は、ＩＯＬ７０の残りの部分の通過を可能にするようにヒンジ８０８を中心に曲がったままである。
【００７４】
いくつかの実装形態では、傾斜面８１２は、平滑面であり得る。他の実装形態では、傾斜面８１２は、たとえば、図２５および図２７に示す段７１６と同様の複数の段を含むことができる。
【００７５】
いくつかの実装形態では、折畳み機構８００は、ＩＯＬ７０を形成する材料より低い硬度を有する可撓性材料から形成することができる。したがって、折畳み機構８００は、ＩＯＬ７０が折畳み機構８００と接触してそれに対して摺動することを可能にするが、折畳み機構に対する損傷を防止する材料から形成される。しかしながら、他の実装形態では、折畳み機構８００は、ＩＯＬ７０を形成する材料より高い硬度を有する材料から形成することができる。たとえば、折畳み機構８００は、折畳み機構８００を形成する材料がＩＯＬ７０を形成する材料より高い硬度を有しても、ＩＯＬ７０を損傷することを回避するために鋭利な縁をなくすように設計することができる。
【００７６】
図２９は、光学部４６０の表面７２６の上でＩＯＬ７０の前方支持部４５０を持ち上げるように動作可能である、送達通路１２７内に配置された別の例としての持上げ機構９００を示す。いくつかの実装形態では、持上げ機構９００は、先端部分６０の通路６４内に配置することができる。たとえば、持上げ機構９００は、（図２９に関連して）下面に取り付けることができる。すなわち、場合により、持上げ機構９００は、（図１２に示す）ドア９０の内面５３０に対向しかつ（図６に示す）受入面１９０に隣接する通路６４の表面に取り付けることができる。図示する例では、持上げ機構９００は、通路６４の内面９０２に固定される。
【００７７】
持上げ機構９００は、ベース９０４と、枢動部分９０６と、枢動部分９０６をベース９０４に接続するヒンジ９０８とを含む。枢動部分９０６は、第１の傾斜面９１０および第２の傾斜面９１２を画定する「Ｖ」字型形状を有する。ＩＯＬ７０の前方支持部４５０は、光学部４６０の表面７６２の（図３２に関連して）上方に前方支持部４５０を持ち上げるように、第１の傾斜面９１０および第２の傾斜面９１２と係合し、それらに沿って摺動する。
【００７８】
図２９に示す位置Ｉ〜ＩＩＩは、ＩＯＬ７０が光学部４６０に対して通路６４を通して前進される際の前方支持部４５０の折畳みを示す。位置Ｉにおいて、持上げ機構９００の枢動部分９０６は、前方支持部４５０が枢動部分９０６との係合を開始したばかりの状態で、初期の妨げられていない構成で示されている。位置ＩＩでは、前方支持部４５０は、枢動部分９０６に形成された第１の傾斜面９１０および第２の傾斜面９１２により矢印９１４の方向に部分的に折り畳まれて持ち上げられている。前方支持部４５０との係合の結果として、枢動部分９０６は、ベース９０４に対して矢印９１６の方向に先端側にそらされ、その結果、傾斜部を形成する傾斜面９１２は、（図２９に関連して示すように）光学部７６０の前縁の頂部コーナの上方で前方支持部４５０をさらに持ち上げるように動作するように示されている。同様にＩＩに示すように、持上げ機構９００は、光学部４６０に向かう前方支持部４５０の変位ももたらす。ＩＯＬ７０の前進に関連して、光学部４６０に向かう前方支持部４５０の移動は、持上げ機構９００が光学部４６０に対して前方支持部４５０の前進を遅らせるかまたは減速させ、その結果、光学部４６０に向かう前方支持部４５０の相対移動をもたらすことを意味する。位置ＩＩＩでは、前方支持部４５０は、光学部の上方に持ち上げられその上で折り畳まれて示されており、それにより、前方支持部４５０は、光学部４６０の表面７６２に隣接して位置する。折畳み機構９００は、光学部４６０の前方支持部４５０とは反対側に示されている。
【００７９】
いくつかの実装形態では、傾斜面９１０および９１２の一方または両方は、平滑面であり得る。他の実装形態では、傾斜面９１０および９１２の一方または両方は、たとえば、図２５および図２７に示す段７１６と同様の複数の段を含むことができる。
【００８０】
ＩＯＬ７０が通路６４に沿って前進し続けると、光学部４６０は、枢動部分９０６がさらに折り畳まれるように、折畳み機構９００を押圧し、その上を摺動する。折畳み機構８００と同様に、折畳み機構９００は、ＩＯＬ７０を形成する材料より低い硬度を有する可撓性材料から形成することができる。しかしながら、他の実装形態では、折畳み機構９００は、ＩＯＬ７０を形成する材料より高い硬度を有する材料から形成することができる。上述した折畳み機構８００と同様に、場合により、折畳み機構８００は、折畳み機構８００を形成する材料がＩＯＬ７０を形成する材料より高い硬度を有しても、ＩＯＬ７０を損傷することを回避するために鋭利な縁をなくすように設計することができる。したがって、折畳み機構９００は、ＩＯＬ７０が折畳み機構９００と接触し、それに対して摺動することを可能にするが、折畳み機構に対する損傷を防止する材料から形成される。
【００８１】
図１、図６および図１１を参照して、インジェクタ本体２０を通るプランジャ３０の前進について以下で考察する。場合により、プランジャ３０とインジェクタ本体２０との間の寸法公差により、プランジャ３０とインジェクタ本体２０との間の相対移動を可能にすることができ、それにより、先端部分２１１は、ボア４０内で矢印４７１、４７２の方向において移動することができる（以降では「公差移動」と呼ぶ）。いくつかの場合、特にプランジャ３０が角度付き部分２１２を含む場合、プランジャチップ２２０は、プランジャ３０がボア４０内を前進する際にプランジャ３０に公差移動がある場合でも、通常、内壁２９８と接触したままである。したがって、場合により、いかなる公差移動にも関らず、プランジャチップ２２０は、内壁２９８と接触したままである。したがって、第２のテーパ状壁３０３は、プランジャチップ２２０を開口部１７０内に向けてそれに中心合わせする。
【００８２】
プランジャ３０に公差移動があり、プランジャチップ２２０がボア４０の内壁２９８と接触しなくなる場合、可撓性壁部分１６２を含む第１のテーパ状壁３０１は、プランジャチップ２２０を境界面１７２に形成された開口部１７０内に向けかつそれに中心合わせし、プランジャチップ２２０と第２のテーパ状壁３０３との間に接触をもたらす。プランジャ３０がインジェクタ本体２０と完全に係合すると、公差移動は、実質的に低減するかまたはなくなり、プランジャチップ２２０が第２のテーパ状壁３０３および曲線状傾斜部１８０と係合したままであることを確実にする。場合により、プランジャ３０とインジェクタ本体２０との間の完全な係合は、片持ち部材２９２がボア４０の内壁２９８と完全に係合するときに発生する。したがって、公差移動が存在する可能性がある場合、プランジャ３０とインジェクタ本体２０とが完全に係合すると、可撓性壁部分１６２は、プランジャ３０のその部分に影響を与えなくなる。いずれの場合も、プランジャチップ２２０が開口部１７０を通して前進すると、可撓性壁部分１６２は、プランジャ３０の方向性のある経路またはそのいかなる部分にも影響を与えなくなる。
【００８３】
プランジャチップ２２０が受入面１９０と摺動接触して区画８０内を前進される際、プランジャチップ２２０の第１の溝５００は、図６に示すように、ＩＯＬ７０の後方支持部４５０等のＩＯＬの後方支持部と係合するように位置決めされる。プランジャチップ２２０は、さらに前進されると、曲線状傾斜部１８０に突き当り、ドア９０の方に垂直に向かわされる。このように、受入面１９０と接触したままでプランジャチップ２２０が垂直変位することにより、ＩＯＬの光学部の上で後方支持部が折り畳まれるとともに、プランジャチップ２２０の第２の溝５１０が支持部の後縁と整列する。特に、プランジャチップ２２０が曲線状面１８０に沿って移動する際、プランジャチップ２２０の表面５０２は、支持部４５０と接触してそれを変位させ、それにより後方支持部４５０を折り畳む。後方支持部４５０が折り畳まれると、曲線状面１９２および壁１９４は、ともに作用して、光学部４６０の上方にかつその上に後方支持部４５０の自由延在端部４５２を配置する。プランジャチップ２２０がインジェクタ本体２０の先端部分６０に向かって変位されると、曲線状面１９２の輪郭は、後方支持部４５０を持ち上げるように動作する。壁１９４は、後方支持部４５０の自由延在端部４５２の横方向移動を制約し、それにより、支持部は、光学部４６０に対して先端側に移動する。したがって、プランジャチップ２２０が後方支持部４５０と接触して曲線状傾斜部１８０に沿ってたどる際、後方支持部４５０は、上方に起こされるとともに光学部４６０の上で折り畳まれる。プランジャチップ２２０がさらに前進されると、第２の溝５１０は、光学部４６０の後縁を受け入れ、プランジャチップ２２０は、曲線状傾斜部１８０の低減する勾配とプランジャロッド２１０の角度付き部分２１２との両方からの影響の組合せのために、ドア９０から離れるように垂直に変位される。上述したようなプランジャチップ２２０の移動により、ＩＯＬ７０の改善された係合および折畳みが可能になる。
【００８４】
図３４は、別の例としてのＩＯＬインジェクタ１０００の先端部分６０の平面図を示す。ＩＯＬインジェクタ１０００の先端部分６０は、インジェクタ本体の上に配置することができる。場合により、インジェクタ本体は、上述したインジェクタ本体２０と同様であり得る。しかしながら、他の場合、インジェクタ本体は、異なる構成を有することができる。すなわち、後述する先端部分６０は、さまざまなタイプのインジェクタ本体を有する多数のタイプのＩＯＬインジェクタに適用可能であり得る。いくつかの実装形態では、ＩＯＬインジェクタ１０００のインジェクタ本体は、図１および図２に示す例等、手動タイプのインジェクタであり得る。他の実装形態では、ＩＯＬインジェクタ１０００は、使用者がボタンまたはレバーを押下することに応じてプランジャを変位させるように動作可能な自動インジェクタであり得る。こうした場合、プランジャは、たとえば、圧縮気体等、流体によって提供される力に応じてまたはモータ等の電気装置の作動に応じて変位させることができる。ノズル１２０は、先端部分６０から先端側に延在する。
【００８５】
本明細書に記載する他のインジェクタと同様に、先端部分６０は、通路６４を画定する。通路６４は、通路６４が先端部分６０の先端開口部１２５に向かって先端側に延在するに従いテーパ状となる。図３５は、線ＤＤに沿ったＩＯＬインジェクタ１０００の先端部分６０の断面図を示す。図３５に示すように、先端部分６０は、第１の壁１００２、第２の壁１００４、第３の壁１００６および第４の壁１００８を含む。通路６４内では、先端部分６０は、第２の壁１００４の内面１００９に形成された第１のレール１０１０および第２のレール１０１２を含み、通路６４内に内向きに延在する（このため、通路６４の長さの少なくとも一部に沿って通路６４の断面形状の一部を画定する）。場合により、第１のレール１０１０および第２のレール１０１２は、長手方向軸７５に対して通路６４内で対称的に配置することができる。すなわち、場合により、第１のレール１０１０および第２のレール１０１２は、平面１０１４を中心に対称的に配置することができ、平面１０１４は、ＩＯＬインジェクタ１０００に沿って長手方向に延在しかつ長手方向軸７５を含み、第１の壁１００２の外面１０１１に対して垂直に配置される。他の場合、第１のレール１０１０および第２のレール１０１２は、通路６４内で長手方向軸７５に対して非対称に配置することができる。すなわち、場合により、第１のレール１０１０および第２のレール１０１２は、平面１０１４から異なる量だけずれることができる。
【００８６】
第１のレール１０１０および第２のレール１０１２は、それらの間に延在するチャネル１０１６を画定する。チャネル１０１６は、第１の面１０１８と、第１の面１０１８と対向する第２の面１０２０と、それらの間に延在する第３の面１０２２とにより境界が定められる。場合により、図３５に示すように、第１の面１０１８および第２の面１０２０は、傾斜面であり、その長手方向に延在する長さの少なくとも一部に沿って（すなわち長手方向軸７５に沿った方向に）平面１０１４に対して角度をなして配置され得る。場合により、第１の面１０１８および第２の面１０２０は、そのそれぞれの長手方向に延在する長さ全体に沿って平面１０１４と一定の角度を画定するように一定の勾配を有することができる。さらに、場合により、第１の面１０１８および第２の面１０２０の勾配は、それらの面のそれぞれの長さのすべてまたは一部に対して同じであり得る。他の実装形態では、第１の面１０１８および第２の面２０２０は、その長手方向に延在する長さの少なくとも一部に沿って平面１０１４に対して平行であり得る。たとえば、場合により、第１の面１０１８および第２の面１０２０は、そのそれぞれの長手方向に延在する長さ全体に沿って平面１０１４に対して平行であり得る。さらに他の実装形態では、第１の面１０１８および第２の面１０２０の勾配は、互いに異なり得る。すなわち、場合により、第１の面１０１８および第２の面１０２０のそれぞれの勾配は、それらのそれぞれの長さの１つまたは複数の部分に沿って互いに鏡像となることができるが、他の場合、第１の面１０１８および第２の面１０２０の勾配は、それらのそれぞれの長さに沿って互いに異なり得る。
【００８７】
いくつかの実装形態では、第１の面１０１８および第２の面１０２０の一方または両方は、０°〜１０°、０°〜５°、０°〜４°、０°〜３°、０°〜２°、０°〜１°、０°〜０．７５°、０°〜０．５°、０°〜０．２５°の範囲内の角度または示した範囲外の角度で平面１０１４に対して傾斜させることができる。たとえば、勾配の角度は、示した範囲より大きい場合がある。場合により、第１の面１０１８および第２の面１０２０の一方または両方の勾配は、先端部分６０を製造するために使用される工具の抜き勾配によって画定することができる。こうした抜き勾配は、たとえば、射出成形プロセス等により、先端部分６０の形成時に工具の除去を容易にする。他の場合、勾配の角度は、たとえば、眼内レンズが通路６４に沿って前進される際、眼内レンズの何らかの態様の折畳みを達成するため等、１つまたは複数の他の考慮事項の結果として画定することができる。第１の面１０１８および第２の面１０２０の勾配も他の必要または要求に従って選択され得る。
【００８８】
図３５に示すように、第３の面１０２２の横方向に延在する形状は、平面であり、図示する断面において平面１０１４に対して垂直に配置される。場合により、第３の面１０２２の１つまたは複数の部分は、平面でない可能性がある。場合により、第３の面１０２２の横方向に延在する形状は、その長手方向に延在する長さ全体に沿って平面１０１４に対して垂直であり得る。他の場合、第３の面１０２２の横方向に延在する形状は、その長手方向に延在する長さに沿った１つまたは複数の位置において１つまたは複数の輪郭の変化を有することができる。したがって、場合により、第３の面１０２２の１つまたは複数の部分では、第３の面１０２２の横方向に延在する形状は、第３の面１０２２の長さに沿った１つまたは複数の位置において平面１０１４に対して斜めに配置することができる。
【００８９】
いくつかの実装形態では、（後述する）レール１０１０および１０１２の第１の面１０２７および１０２６は、チャネル１０１６の第１の面１０１８、第２の面１０２０および第３の面１０２２とともに、これらの面がＩＯＬインジェクタ１０００の先端部１０２４に向かって延在するに従い、かつ通路６４が狭くなり断面サイズが低減するに従い、融合して通路６４の内壁１００９を形成する。図３５に示すように、第１のレール１０１０および第２のレール１０１２は、第３の面１０２２から共通の距離Ｓだけ延在する。場合により、距離Ｓは、０．４ｍｍ〜０．７５ｍｍの範囲内であり得る。場合により、距離Ｓは、０．４４ｍｍ〜０．７３ｍｍの範囲内であり得る。いくつかの特定の場合では、距離Ｓは、０．５５ｍｍ、０．５６ｍｍ、０．５７ｍｍ、０．５８ｍｍ、０．５９ｍｍまたは０．６０ｍｍであり得る。しかしながら、Ｓに対する値のこれらの範囲は、単に例である。他の実装形態では、距離Ｓは、示した範囲より大きいかまたは小さい場合もある。さらに、いくつかの実装形態では、値Ｓは、第１のレール１０１０および第２のレール１０１２の両方に対し、それらのそれぞれの長さに沿った１つまたは複数の位置で同じであり得る。特に、場合により、第１のレール１０１０および第２のレール１０１２の各々に対する距離Ｓは、そのそれぞれの長さ全体に沿って同一であり得るか、または他の場合、距離Ｓは、第１のレール１０１０および第２のレール１０１２の両方に対して共通の速度で変化する、たとえば増大または低減することができる。他の実装形態では、距離Ｓは、第１のレールと第２のレール１０１２との間において、それらのそれぞれの長さに沿った１つまたは複数の位置で変化することができる。図示する例では、通路６４が狭くなり、断面が低減するに従い、距離Ｓは、第１のレール１０１０および第２のレール１０１２が通路６４に沿って先端側に延在するに従い、第１のレール１０１０および第２のレール１０１２の両方に対して低減する。図示する例による第１のレール１０１０および第２のレール１０１２のテーパ状性質について、図３６においてより詳細に示す。
【００９０】
図３６を参照すると、図３４に示す線ＥＥに沿った先端部分６０の断面図を示す。線ＥＥは、長手方向軸７５に対して平行であり、そこから横方向にずれており、第２のレール１０１２を通過する。したがって、図３６の断面図は、縦断面であり、第２のレール１０１２が長手方向に延在するのに応じた第２のレール１０１２の輪郭を示す。場合により、第１のレール１０１０および第２のレール１０１２は、同一の縦輪郭を有することができるが、本開示の範囲は、そのように限定されない。むしろ、他の実装形態では、第１のレール１０１０および第２のレール１０１２は、異なる縦輪郭を有することができる。例としてのＩＯＬインジェクタ１０００の目的で、図３６に関連して行った第２のレール１０１２の説明は、第１のレール１０１０に適用可能である。したがって、例としてのＩＯＬインジェクタ１０００では、第１のレール１０１０および第２のレール１０１２は、同一の形状である。
【００９１】
図３６に示すように、第１のレール１０１０および第２のレール１０１２は、通路６４の長さの一部にわたって延在する。こうした実装形態では、第１のレール１０１０および第２のレール１０１２は、徐々に融合するかまたは第２の壁１００４の内面１０１３内に入り込むことができる。再び図３４を参照すると、距離Ｈは、（ドア９０の先端部１０１７に当接する）先端部分６０の基端縁１０１５からノズル１２０の最先端部まで画定される。場合により、距離Ｈは、約２２ｍｍであり得る。しかしながら、この値は、単に例として提供され、距離Ｈは、２２ｍｍより大きいかまたは小さい任意の所望の値であり得る。図示する例では、ノズル１２０は、図４に示す傾斜チップ１３０と同様の傾斜チップを有する。図３４に示す例では、距離Ｈは、傾斜チップの最先端延在部分まで測定される。しかしながら、本開示の範囲は、そのように限定されず、ノズル１２０は、傾斜チップとは対照的に平坦チップを有することができ、それにより、ノズル１２０の先端部は、長手方向軸７５に対して垂直である平面を画定することができる。こうした場合、距離Ｈは、基端縁１０１５からノズル１２０の先端部によって画定される平面まで延在する。他の場合、ノズル１２０は、湾曲先端チップを有することができる。
【００９２】
図３６に示すように、距離Ｋは、第２のレール１０１２が通路６４に沿って延在する長さを表す。図示する例では、距離Ｋは、縁１０１５から第２のレール１０１２の先端部１０１９まで先端側に延在する。距離Ｋは、７．０ｍｍ〜１１．５ｍｍの範囲内であり得る。より詳細には、距離Ｋは、７．１ｍｍ〜１１．１ｍｍ、７．５ｍｍ〜１１．０ｍｍ、８．０ｍｍ〜１０．５ｍｍ、または８．５ｍｍ〜１０．０ｍｍ、９．０ｍｍ〜９．５ｍｍの範囲内であり得る。いくつかの特定の場合では、第１のレール１０１０または第２のレール１０１２の長さは、７．１１ｍｍ〜８．２２ｍｍの範囲内であり得る。しかしながら、これらの範囲は、単に例として提供される。さらに他の実装形態では、距離Ｋは、列挙した値の範囲のいずれの値よりも大きいかまたは小さい場合もある。場合により、第１のレール１０１０の長さおよび第２のレール１０１２の長さは同じであり得る。他の場合、第１のレール１０１０の長さは、第２のレール１０１２の長さと異なり得る。
【００９３】
図３６を参照すると、第２のレール１０１２は、第１の面１０２６と、第２のレール１０１２の基端部１０３０に形成された先行面１０２８とを画定する。図示する例では、先行面１０２８は、第１の面１０２６に対して斜めに形成される平面の面である。第１の面１０２６は、長手方向軸７５に対して平行に形成される平面の面であり得る。しかしながら、上で説明したように、第１の面１０２６は、少なくともその一部にわたり曲線状面（たとえば、湾曲、段状、波状等）を有することができる。したがって、場合により、第１の面１０２６は、完全に平面であり、部分的に平面であり、部分的に曲線状であり、または完全に曲線状の面であり得る。同様に先行面１０２８は、平面以外の形状を有することができる。たとえば、先行面１０２８は、湾曲し（たとえば、凸状もしくは凹状）、完全にもしくは部分的に段状であるか、または他の任意の所望の形状を有することができる。特に、場合により、先行面１０２８は、第１の端部１０３２から第２の端部１０３４まで線が引かれたときにその線が内面１０１２および長手方向軸７５の両方に対して斜めであるような任意の形状を有することができる。
【００９４】
図３４〜図３６の図示する例では、第１の面１０２６および先行面１０２８は、ともに平面であるが、すでに上で説明したように、他の形状が本開示の範囲内にある。いくつかの実装形態では、第１の面１０２６は、長手方向軸７５に対して平行であり得るが、他の実装形態では、第１の面１０２６は、長手方向軸７５に対して勾配、たとえば漸進的なまたは浅い勾配を有することができる。図３７は、図３６に示すＩＯＬインジェクタ１０００の先端部分６０の領域Ｆの詳細図である。図３７は、長手方向軸７５に対して平行である線１０３６を示す。第１の面１０２６は、線１０３６と角度Ｇを画定する。角度Ｇは、浅い角度であり得る。たとえば、角度Ｇは、射出成形等、先端部分６０を形成するために使用される形成プロセス後に工具の除去を可能にする抜き勾配を画定することができる。場合により、角度Ｇは、０°〜１０°、０°〜５°、０°〜４°、０°〜３°、０°〜２°、０°〜１°、０°〜０．７５°、０°〜０．５°、０°〜０．２５°の範囲内の角度または示した範囲外の角度であり得る。
【００９５】
先行面１０２８（または他の実装形態では、第１の端部１０３２と第２の端部１０３４との間に引かれた線）は、長手方向軸７５に対する０°〜５°、５°〜１０°、１０°〜１５°の範囲内の角度または示した範囲外の角度を画定することができる。たとえば、場合により、先行面１０２８と長手方向軸７５との間に形成された角度は、１０．５°〜１３．７５°の範囲内であり得る。いくつかの特定の場合、先行面１０２８および長手方向軸によって画定される角度は、１３．０°、１３．１°、１３．２°、１３．３°、１３．４°または１３．４１°であり得る。
【００９６】
動作時、ＩＯＬが、プランジャ等により、ＩＯＬインジェクタ１０００の先端部分６０を通して前進される際、ＩＯＬの前縁は、第２のレール１０１２の先行面１０２８および第１のレール１０１０に形成された対応する先行面と係合する。第１のレール１０１０および第２のレール１０１２の先行面は、図１７に示すＩＯＬ７０の光学部４６０等の光学部を（たとえば、図３５に示すように）内面１０３８に向かうように付勢する。第１のレール１０１０および第２のレール１０１２の先行面は、レール１０１０および１０１２がない場合に本来起こる速度より高速に、ＩＯＬの前進中、ＩＯＬの光学部を内面１０３８に向かって変位させるように構成することができる。
【００９７】
図３５に戻ると、ＩＯＬが先端側に変位し続けるに従い、内部通路６４は、横方向に狭くなり、ＩＯＬ７０の光学部４６０の横方向側部１０４０および１０４２が丸まるかまたは内向きに折り畳まれるようにする。通路６４を通るＩＯＬの前進の一部の間、横方向側部１０４０および１０４２の縁１０４４および１０４６は、それぞれ第１のレール１０１０の第１の面１０２７および第２のレール１０１２の第１の面１０２６にそれぞれ当接する。したがって、ＩＯＬ７０が前進されるに従い、かつ支持部４５０および４５２（図３５には図示せず）が光学部４６０の上で折り畳まれるに従い、第１の面１０２６および１０２７は、光学部４６０を内面１０３８と接触した状態で維持する。ＩＯＬのこうした構成は、たとえば、図１４に示す。さらに、第１の面１０２７、１０２６が光学部４６０の縁１０４４および１０４６のそれぞれに反対に作用する力を加えるため、ＩＯＬ７０は、通路６４内で長手方向軸７０または別の長手方向に延在する軸を中心に回転することを防止される。ＩＯＬ７０が通路６４内で前進され続けるに従い、横方向側部１０４０および１０４２は、光学部４６０の中心部分の上で折り畳まれ続けるため、第１のレール１０１０および第２のレール１０１２は、横方向側部１０４０および１０４２との接触を維持する。したがって、ＩＯＬ７０が前進され、ＩＯＬインジェクタ１０００から送達される際、レール１０１０および１０１２は、光学部４６０の上での支持部４５０および４５２の改善された折畳みを促進するとともに、通路６４内でＩＯＬ７０の位置的安定性を維持する。内面１０３８に向かってＩＯＬ７０の光学部４６０をより迅速に変位させることにより、図１７に示すようなＩＯＬ７０の支持部４５０および４５２等の支持部は、ＩＯＬ７０の前進中、光学部４６０の上で折り畳まれるためにより長い時間およびより広い空間がともに与えられる。
【００９８】
再び図３５を参照すると、第１のレール１０１０および第２のレール１０１２に加えて、例としてのＩＯＬインジェクタ１０００は、第１の側壁１００２の内面に形成された傾斜部１０４０および第３の側壁１００６の内面に形成された傾斜部１０４２も含む。傾斜部１０４０および１０４２は、それぞれ傾斜部７０８および７２２と同様とすることができ、それらと同様に動作することができる。したがって、傾斜部７０８および７２２について詳細に上述し、傾斜部７０８および７２２の説明は、傾斜部１０４０および１０４２にそれぞれ適用可能であるため、傾斜部１０４０および１０４２のさらなる説明は省略する。
【００９９】
両レール１０１０および１０１２ならびに両方の傾斜部１０４０および１０４２を有するＩＯＬインジェクタは、ＩＯＬの支持部および特にＩＯＬの光学部から先端側に延在する前方支持部のより優れた折畳み性能を提供することにより、ＩＯＬの折畳みおよび最終的に眼内への適切な送達を改善する。レール１０１０、１０１２および傾斜部１０４０、１０４２の組合せの結果として、光学部の上での前方支持部のたくし込みが改善され、その結果、ＩＯＬがＩＯＬインジェクタを通って最終的に眼内に前進される際のＩＯＬの折畳みが改善される。
【０１００】
例としてのＩＯＬインジェクタ１０００は、傾斜部１０４０および１０４２の両方を含むものとして示されている。しかしながら、第１のレール１０１０および第２のレール１０１２等のレールを有するＩＯＬインジェクタは、傾斜部１０４０および１０４２の両方、傾斜部１０４０および１０４２の一方のみを有し、または傾斜部１０４０および１０４２のいずれも有していない可能性があることは、本開示の範囲内にある。
【０１０１】
図１３は、インジェクタ本体２０の先端部分６０の一部の詳細図である。先端部分６０は、テーパ状部分６２および挿入深さガード１４０を含む。付勢要素２６０の先端部２６５は、インジェクタ本体２０の基端部５０と係合して、折り畳まれたまたは部分的に折り畳まれたＩＯＬの停止位置を画定することができる。ノズル１２０は、停止位置の視覚的表示を提供する境界１９００を含むことができる。たとえば、図１３に示す例では、境界１９００は、先端部分６０のすべてまたは一部を取り囲む狭い隆起または線である。場合により、境界１９００は、テーパ状部分６２と挿入深さガード１４０との間に配置することができる。インジェクタ本体２０の少なくとも一部は、使用者がインジェクタ本体２０内のＩＯＬを見ることを可能にする透明または半透明材料から形成することができる。特に、インジェクタ本体２０の先端部分６０を透明材料から形成して、プランジャ３０によってインジェクタ本体２０を通して移動するＩＯＬの観察を可能にすることができる。
【０１０２】
図１４は、ＩＯＬ７０が内部の停止位置に配置されるＩＯＬインジェクタ１０の先端部分６０の図を示す。図１４に示すように、ＩＯＬの停止位置は、ＩＯＬ７０の光学部４６０の先端縁４６２が境界１９００と実質的に整列する位置として定義することができる。支持部４５０またはその一部は、境界１９００を越えて延在することができる。この場合にも、停止位置は、付勢要素２６０の先端部２６５のインジェクタ本体２０の基端部５０との初期係合に対応することができる。したがって、停止位置は、ＩＯＬまたはその一部の境界１９００に対する位置決めと、付勢要素２６０の先端部２６５間の初期接触とによって連帯的に示すことができる。
【０１０３】
他の場合、付勢要素２６０の先端部２６５がインジェクタ本体２０の基端部５０と接触するときのノズル１２０の先端開口部１２に対するＩＯＬの位置が変化する可能性がある。場合により、付勢要素２６０の先端部２６５がインジェクタ本体２０の基端部５０と接触するとき、先端開口部１２５からＩＯＬを部分的に排出することができる。たとえば、場合により、付勢要素２６０の先端部２６５がインジェクタ本体２０の基端部５０と接触するとき、先端開口部１２５からＩＯＬのおよそ半分を排出することができる。他の場合、付勢要素２６０の先端部２６５がインジェクタ本体２０の基端部５０と接触するとき、ＩＯＬインジェクタ内にＩＯＬを完全に含めることができる。
【０１０４】
図１５は、境界面１７２に形成された開口部１７０の断面図を示す。場合により、開口部１７０は、「Ｔ」字型形状を画定することができる。プランジャチップ２２０は、可撓性壁部分１６２がプランジャロッド２１０の表面２１４に接触している状態で開口部１７０に配置されるように示されている。場合により、プランジャロッド２１０の断面は、プランジャロッド２１０の基端部に向かって増大する。したがって、プランジャロッド２１０は、開口部１７０を通して前進される際、断面が増大する結果として開口部を充填する。開口部１７０の部分１７３および１７５は、フランジ２１３、２１５（図９に示す）によって充填される。
【０１０５】
プランジャロッド２１０がインジェクタ本体２０を通して先端側に前進される際に開口部１７０がプランジャロッド２１０の増大する断面によって充填されるため、図１６に示すように、可撓性壁部分１６２は、プランジャロッド２１０の通過を可能にするように矢印４７１の方向に曲げられる。さらに、プランジャロッド２１０の角度付き部分２１２、曲線状傾斜部１８０およびＩＯＬインジェクタ１０を通して前進される際のＩＯＬ７０の折畳みの結果として、プランジャチップ２２０は、区画８０、先端部分６０および可撓性壁部分１６２によって影響を受けないノズル１２０を通る画定された通路をたどる。
【０１０６】
図１６は、プランジャロッド２１０がＩＯＬインジェクタ１０を通して先端側に前進し続ける際、可撓性壁部分１６２が４７１の方向に曲げられている状態を示す。さらに、図１６は、プランジャチップ２２０がＩＯＬ７０と係合し、その結果、後方支持部４５０が第２の溝５１０からずれた位置において第１の溝５００内に受け入れられ、光学部４６０の基端縁が第２の溝５１０内に受け入れられる状態も示す。
【０１０７】
ＩＯＬ７０は、先端部分６０の通路６４を通して前進される際、ＩＯＬ７０がノズル１２０を通して眼内に入ることを可能にするように、サイズが縮小するように折り畳まれる。ＩＯＬ７０の折畳み中、プランジャ３０に対する抵抗力が増大する。ＩＯＬ７０が完全に折り畳まれる７０と、プランジャ３０に対する抵抗力は、概して低減する。
【０１０８】
眼球に創傷部を形成することができる。創傷部は、ＩＯＬインジェクタ１０のノズル１２０を収容するようなサイズとすることができる。創傷部にノズル１２０を挿入することができる。挿入深さガード１４０のフランジ面１５０が眼球の外面に当接するまで、創傷部を通してノズル１２０を前進させることができる。挿入深さガード１４０と眼球の外面との間の接触により、ノズル１２０を眼内に挿入することができる深さが制限され、創傷部の縁における不要な応力が防止されるとともに、ＩＯＬインジェクタ１０の過挿入による創傷部の拡大が防止される。したがって、挿入深さガード１４０は、眼球に対するさらなる外傷と創傷部の拡大とを低減させるように作用する。
【０１０９】
創傷部を通して眼内にノズルが適切に位置決めされると、使用者は、眼内への折り畳まれたＩＯＬの送達を完了することができる。図２を参照すると、プランジャ３０の前進が続くに従い、付勢要素２６０は、圧縮される。付勢要素２６０の圧縮により、突入力とも呼ぶ、プランジャ３０の前進に対する抵抗力が増大する。このプランジャ３０の前進に対する追加の抵抗により、眼内に挿入する前のＩＯＬの折畳みに関する突入力に対する変化が減少する。さらに、場合により、ＩＯＬ７０が完全に折り畳まれて、ＩＯＬ７０が完全に折り畳まれていることからもたらされる可能性がある抵抗力の低下が、付勢要素２６０の圧縮によって相殺される可能性があるときまたはそのときに近づくと、付勢要素２６０をインジェクタ本体１２０と接触させることができる。付勢要素２６０の圧縮によって提供されるこの抵抗力の増大により、特にＩＯＬ７０が完全に折り畳まれていることによってもたらされる可能性がある低減に鑑みて、眼内へのＩＯＬ７０の送達中の医療専門家等の使用者に対する改善された触覚フィードバックを提供することができる。この触覚フィードバックの改善により、使用者に対し、ＩＯＬ７０の送達中の改善された制御が提供され、それにより眼内へのＩＯＬ７０の急速な追出しを防止することができる。
【０１１０】
その結果、使用者は、プランジャ３０の前進のいかなる突然のまたは急速な変化も体験することなく、円滑に力を加えることができる。こうした突然のまたは急速な変化により、ＩＯＬは、インジェクタから急速に放出される結果となる可能性がある。眼内へのＩＯＬの急速な追出しにより、水晶体嚢の穿孔等の損傷がもたらされる可能性がある。こうした損傷により、手術処置を完了するために必要な時間が増大する可能性があり、患者に対して即座にかつ術後にもたらされる損害が増大する可能性がある。眼内にＩＯＬが挿入されると、眼球からＩＯＬインジェクタ１０を引き出すことができる。
【０１１１】
本開示は、多数の例を提供するが、本開示の範囲は、そのように限定されない。むしろ、上述した開示において、広範囲の変更形態、変形形態および置換形態が企図される。本開示の範囲から逸脱することなく、上述したものに対するこうした変形形態がなされ得ることが理解される。
【図１】
2020503943.tif 000003
【図２】
2020503943.tif 000004
【図３】
2020503943.tif 000005
【図４】
2020503943.tif 000006
【図５】
2020503943.tif 000007
【図６】
2020503943.tif 000008
【図７】
2020503943.tif 000009
【図８】
2020503943.tif 000010
【図９】
2020503943.tif 000011
【図１０】
2020503943.tif 000012
【図１１】
2020503943.tif 000013
【図１２】
2020503943.tif 000014
【図１３】
2020503943.tif 000015
【図１４】
2020503943.tif 000016
【図１５】
2020503943.tif 000017
【図１６】
2020503943.tif 000018
【図１７】
2020503943.tif 000019
【図１８】
2020503943.tif 000020
【図１９】
2020503943.tif 000021
【図２０】
2020503943.tif 000022
【図２１】
2020503943.tif 000023
【図２２】
2020503943.tif 000024
【図２３】
2020503943.tif 000025
【図２４】
2020503943.tif 000026
【図２５】
2020503943.tif 000027
【図２６】
2020503943.tif 000028
【図２７】
2020503943.tif 000029
【図２８】
2020503943.tif 000030
【図２９】
2020503943.tif 000031
【図３０】
2020503943.tif 000032
【図３１】
2020503943.tif 000033
【図３２】
2020503943.tif 000034
【図３３】
2020503943.tif 000035
【図３４】
2020503943.tif 000036
【図３５】
2020503943.tif 000037
【図３６】
2020503943.tif 000038
【図３７】
2020503943.tif 000039
【国際調査報告】
2020503943.tif 000040
2020503943.tif 000041